(57)【要約】  システム、手続、及び手段が、ＮＲ（new  Radio）などのビームフォーミング型システムにおける同期のために開示される。共通ＳＹＮＣチャネルは、シングル及びマルチビームシステムに対して提供され得る。ＳＹＮＣバースト構造は、ビームベースのシステムに対して提供され得る。シングル及びマルチビーム配備を可能にし、又はサポートする手続は、例えば、ＴＤＤ及びＦＤＤのための共通ＳＹＮＣ、混合ヌメロロジーのための共通ＳＹＮＣ、より大きな帯域幅のためのＳＹＮＣ、並びに単一及び複数ＴＲＰのためのＳＹＮＣ送信及び受信を提供し得る。【選択図】図５Ｂ
2019537289.tif 000002
【特許請求の範囲】
【請求項１】
ビームフォーミングセルラ通信ネットワークと同期するためのワイヤレス送信／受信ユニット（ＷＴＲＵ）であって、
前記ＷＴＲＵにおいて、それぞれが複数のシンボルを含む複数のＳＹＮＣバーストを含むＳＹＮＣバーストセットを、前記ビームフォーミングセルラ通信ネットワークからビーム内において受信し、
前記ＳＹＮＣバーストセットから、前記ＷＴＲＵが前記ビームフォーミングセルラ通信ネットワークと同期するための同期パラメータを判断する、
ように構成されるプロセッサを備える、ＷＴＲＵ。
【請求項２】
前記プロセッサが、前記ビームフォーミングセルラ通信ネットワークによって方向付けられるマルチビームＳＹＮＣ信号、前記ＷＴＲＵによって方向付けられるマルチビーム同期スケジュール、マルチビームショートＳＹＮＣ信号、並びに前記ビームフォーミングセルラ通信ネットワーク及び前記ＷＴＲＵに基づいて方向付けられるハイブリッドＳＹＮＣ構造のうちの１つを使用して、前記ＳＹＮＣバーストセットを受信するように構成される、請求項１に記載のＷＴＲＵ。
【請求項３】
前記同期パラメータが、ＳＹＮＣ信号タイプ、ビームスイープタイプ、ビームスイープ順序、ＡＣＫリソース構成、及びビームホッピングパターンのうちの１つ以上を含む、請求項１に記載のＷＴＲＵ。
【請求項４】
前記プロセッサが、前記ＳＹＮＣバーストセットを受信するためにビームスイープを実行するように構成される、請求項１に記載のＷＴＲＵ。
【請求項５】
前記ビームスイープが、部分ビームスイープを含み、前記プロセッサが、前記ビームフォーミングセルラ通信ネットワークによって送信されるあるビームに対して前記部分ビームスイープを行うことを判断するように構成される、請求項４に記載のＷＴＲＵ。
【請求項６】
前記プロセッサが、第１のビームスイープを実行し、前記ＷＴＲＵと前記ビームフォーミングセルラ通信ネットワークとの間の第１のビームペアリングを判断し、前記第１のビームペアリングで第２のビームスイープを実行するように、さらに構成される、請求項１に記載のＷＴＲＵ。
【請求項７】
前記プロセッサが、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断するように、さらに構成される、請求項１に記載のＷＴＲＵ。
【請求項８】
前記ＳＹＮＣ動作モードが、シングルビーム動作モード、マルチビーム動作モード、及び部分マルチビーム動作モードのうちの１つを含む、請求項７に記載のＷＴＲＵ。
【請求項９】
ＷＴＲＵをビームフォーミングセルラ通信ネットワークと同期させる方法であって、
前記ＷＴＲＵにおいて、それぞれが複数のシンボルを含む複数のＳＹＮＣバーストを含むＳＹＮＣバーストセットを、前記ビームフォーミングセルラ通信ネットワークからビーム内において受信することと、
前記ＳＹＮＣバーストセットから、前記ＷＴＲＵが前記ビームフォーミングセルラ通信ネットワークと同期するための同期パラメータを判断することと、を含む、方法。
【請求項１０】
前記ＳＹＮＣバーストセットが、前記ビームフォーミングセルラ通信ネットワークによって方向付けられるマルチビームＳＹＮＣ信号、前記ＷＴＲＵによって方向付けられるマルチビーム同期スケジュール、マルチビームショートＳＹＮＣ信号、並びに前記ビームフォーミングセルラ通信ネットワーク及び前記ＷＴＲＵに基づいて方向付けられるハイブリッドＳＹＮＣ構造のうちの１つを使用して受信される、請求項９に記載の方法。
【請求項１１】
前記同期パラメータが、ＳＹＮＣ信号タイプ、ビームスイープタイプ、ビームスイープ順序、ＡＣＫリソース構成、及びビームホッピングパターンのうちの１つ以上を含む、請求項９に記載の方法。
【請求項１２】
前記ＷＴＲＵが前記ＳＹＮＣバーストセットを受信するためにビームスイープを実行することをさらに含み、前記ビームスイープが、部分ビームスイープを含み、前記ＷＴＲＵが、前記ビームフォーミングセルラ通信ネットワークによって送信されるあるビームに対して前記部分ビームスイープを行うことを判断する、請求項９に記載の方法。
【請求項１３】
前記ＷＴＲＵが、第１のビームスイープを実行することと、前記ＷＴＲＵと前記ビームフォーミングセルラ通信ネットワークとの間の第１のビームペアリングを判断することと、前記第１のビームペアリングで第２のビームスイープを実行することと、をさらに含む、請求項９に記載の方法。
【請求項１４】
前記ＷＴＲＵが、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断することを、さらに含む、請求項９に記載の方法。
【請求項１５】
前記ＳＹＮＣ動作モードが、シングルビーム動作モード、マルチビーム動作モード、及び部分マルチビーム動作モードのうちの１つを含む、請求項９に記載の方法。
【発明の詳細な説明】
【技術分野】
【０００１】
関連出願への相互参照
本出願は、参照により本明細書に組み込まれる、２０１６年９月２８日に出願された米国仮出願第６２／４００，９６２号、２０１７年１月６日に出願された米国仮出願第６２／４４３，０７４号、及び２０１７年３月２２日に出願された米国仮出願第６２／４７４，８８６号の優先権及び利益を主張する。
【背景技術】
【０００２】
モバイル通信は、進化し続けている。第５世代は、５Ｇと呼ばれ得る。モバイル通信の前の（レガシー）世代は、例えば、第４世代（４Ｇ）ＬＴＥ（long  term  evolution）であり得る。
【発明の概要】
【課題を解決するための手段】
【０００３】
ＮＲ（new  Radio）などのビームフォーミング型システムにおける同期について、システム、手続、及び手段が、開示される。共通ＳＹＮＣチャネルは、シングル及びマルチビームシステムに対して提供され得る。ＳＹＮＣバースト構造は、ビームベースのシステムに対して提供され得る。シングル及びマルチビーム配備を可能にし、又はサポートする手続は、例えば、ＴＤＤ及びＦＤＤのための共通ＳＹＮＣ、混合ヌメロロジーのための共通ＳＹＮＣ、より大きな帯域幅のためのＳＹＮＣ、並びに単一及び複数ＴＲＰのためのＳＹＮＣ送信及び受信を提供し得る。
【０００４】
ビームフォーミングセルラ通信ネットワークと同期するためのワイヤレス送信／受信ユニット（ＷＴＲＵ：wireless  transmit/receive  unit）は、ＷＴＲＵにおいて、それぞれが複数のシンボル（例えば、サブタイムスロット）を含み得る複数のＳＹＮＣバースト（例えば、タイムスロット）を含むＳＹＮＣバーストセットを、ビームフォーミングセルラ通信ネットワークからビーム内において受信し、ＳＹＮＣバーストセットから、ＷＴＲＵがビームフォーミングセルラ通信ネットワークと同期するための同期パラメータを判断するように構成されるプロセッサを含んでもよい。
【０００５】
ＷＴＲＵプロセッサは、ビームフォーミングセルラ通信ネットワークによって方向付けられるマルチビームＳＹＮＣ信号、ＷＴＲＵによって方向付けられるマルチビーム同期スケジュール、マルチビームショートＳＹＮＣ信号、並びにビームフォーミングセルラ通信ネットワーク及びＷＴＲＵに基づいて方向付けられるハイブリッドＳＹＮＣ構造のうちの１つを使用して、ＳＹＮＣバーストセットを受信するように構成されてもよい。
【０００６】
同期パラメータは、ＳＹＮＣ信号タイプ、ビームスイープタイプ、ビームスイープ順序、ＡＣＫリソース構成、及びビームホッピングパターンのうちの１つ以上を含んでもよい。
【０００７】
ＷＴＲＵプロセッサは、ＳＹＮＣバーストセットを受信するためにビームスイープを実行するように構成されてもよい。ビームスイープは、部分ビームスイープを含んでもよく、ＷＴＲＵプロセッサは、ビームフォーミングセルラ通信ネットワークによって送信されるあるビームに対して部分ビームスイープを行うことを判断するように構成されてもよい。
【０００８】
ＷＴＲＵプロセッサは、第１のビームスイープを実行し、ＷＴＲＵとビームフォーミングセルラ通信ネットワークとの間の第１のビームペアリングを判断し、第１のビームペアリングで第２のビームスイープを実行するように構成されてもよい。
【０００９】
ＷＴＲＵプロセッサは、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断するように構成されてもよい。
【００１０】
ＳＹＮＣ動作モードは、シングルビーム動作モード、マルチビーム動作モード、及び部分マルチビーム動作モードのうちの１つを含んでもよい。
【００１１】
ＷＴＲＵをビームフォーミングセルラ通信ネットワークと同期させる方法は、ＷＴＲＵにおいて、それぞれが複数のシンボルを含み得る複数のＳＹＮＣバーストを含むＳＹＮＣバーストセットを、ビームフォーミングセルラ通信ネットワークからビーム内において受信することと、ＳＹＮＣバーストセットから、ＷＴＲＵがビームフォーミングセルラ通信ネットワークと同期するための同期パラメータを判断することと、を含んでもよい。
【００１２】
同期方法は、ビームフォーミングセルラ通信ネットワークによって方向付けられるマルチビームＳＹＮＣ信号、ＷＴＲＵによって方向付けられるマルチビーム同期スケジュール、マルチビームショートＳＹＮＣ信号、並びにビームフォーミングセルラ通信ネットワーク及びＷＴＲＵに基づいて方向付けられるハイブリッドＳＹＮＣ構造のうちの１つを使用して、ＳＹＮＣバーストセットを受信することを含んでもよい。
【００１３】
同期方法は、ＷＴＲＵが、ＳＹＮＣバーストセットを受信するためにビームスイープを実行することを含んでもよい。ビームスイープは、部分ビームスイープを含んでもよい。ＷＴＲＵは、ビームフォーミングセルラ通信ネットワークによって送信されるあるビームに対して部分ビームスイープを行うことを判断してもよい。
【００１４】
同期方法は、第１のビームスイープを実行することと、ＷＴＲＵとビームフォーミングセルラ通信ネットワークとの間の第１のビームペアリングを判断することと、第１のビームペアリングで第２のビームスイープを実行することと、を含んでもよい。
【００１５】
同期方法は、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断することを含んでもよい。
【図面の簡単な説明】
【００１６】
【図１Ａ】１つ以上の開示された実施形態が実施され得る、例としての通信システムを示すシステム図である。
【図１Ｂ】図１Ａに示される通信システム内で使用され得る、例としてのワイヤレス送信／受信ユニット（ＷＴＲＵ）を示す例としてのシステム図である。
【図１Ｃ】図１Ａに示される通信システム内で使用され得る、例としての無線アクセスネットワーク（ＲＡＮ：radio  access  network）及び例としてのコアネットワーク（ＣＮ：core  network）を示す例としてのシステム図である。
【図１Ｄ】図１Ａに示される通信システム内で使用され得る、例としてのＲＡＮ及び例としてのＣＮを示す例としてのシステム図である。
【図２】マルチビームレギュラーＳＹＮＣ信号（ｇＮＢ指向）の例である。
【図３】マルチビームレギュラーＳＹＮＣ信号（ＵＥ指向）の例である。
【図４】マルチビームショートＳＹＮＣ信号の例である。
【図５Ａ】ビームベース動作のためのハイブリッドＳＹＮＣ信号構造の例である。
【図５Ｂ】シングル及びマルチビーム動作のための統合型ＳＹＮＣ信号バースト構造の例である。
【図６】シングル及びマルチビーム動作のためのＳＹＮＣ信号の共通フレームワークの例である。
【図７】シングル及びマルチビーム動作のためのＳＹＮＣ信号生成手続の共通フレームワークの例である。
【図８】シングル及びマルチビーム動作のためのＳＹＮＣ信号バーストの共通統合型フレームワークの例である。
【図９】シングル及びマルチビーム動作のためのＳＹＮＣ信号検出手続の共通フレームワークの例である。
【図１０】シングル及びマルチビームベースの初期アクセス手続のための、例としてのＳＹＮＣ信号検出である。
【図１１】シングル及びマルチビーム動作のための例としてのＳＹＮＣ信号及びバースト構造である。
【図１２】シングル及びマルチビームベースシステムのための例としてのＳＹＮＣ信号及びバースト構造である。
【図１３】マルチビームのための例としてのＳＹＮＣ信号タイプ１及び標識である。
【図１４】マルチビームのための例としてのＳＹＮＣ信号タイプ２及び標識である。
【図１５】マルチビームのための例としてのＳＹＮＣ信号タイプ３及び標識である。
【図１６】マルチビームのための例としてのＳＹＮＣ信号タイプ４及び標識である。
【図１７Ａ】ＦＤＤシステムのためのＳＹＮＣ信号分離の例である。
【図１７Ｂ】ＴＤＤシステムのためのＳＹＮＣ信号分離の例である。
【図１８】混合ＦＤＤ及びＴＤＤシステムのためのＳＹＮＣ信号分離の例である。
【図１９】動的ＴＤＤフレーム構造の例である。
【図２０】異なるヌメロロジーを有する異なるサブ帯域のためのＳＹＮＣ信号分離の例である。
【図２１】周波数ドメインにおけるＳＹＮＣ信号の例である。
【図２２】単純拡張を伴う周波数ドメインにおけるＳＹＮＣ信号の例である。
【図２３】ＲＢレベルにおいて反復を有する周波数ドメインにおけるＳＹＮＣ信号の例である。
【図２４】サブキャリアレベルにおいて反復を有する周波数ドメインにおけるＳＹＮＣ信号の例である。
【図２５Ａ】増加されたＺＣシーケンスを有する周波数ドメインにおけるＳＹＮＣ信号の例である。
【図２５Ｂ】分離を伴いＲＢレベルにおいて反復を有する周波数ドメインにおけるＳＹＮＣ信号の例である。
【図２５Ｃ】分離を伴いサブキャリアレベルにおいて反復を有する周波数ドメインにおけるＳＹＮＣ信号の例である。
【図２５Ｄ】分離を伴いＲＢレベルにおいて混合使用を有する周波数ドメインにおけるＳＹＮＣ信号の例である。
【図２６】信号ＳＹＮＣビームを伴う複数のＴＲＰの配備の例である。
【図２７】複数のＳＹＮＣビーム及び同期送信を伴う複数のＴＲＰの配備の例である。
【図２８】マルチビーム完全ＳＹＮＣ信号又はマルチビーム部分ＳＹＮＣ信号タイプ１についての共同送信の例である。
【図２９】マルチビーム部分ＳＹＮＣ信号タイプ２についての共同送信の例である。
【図３０】空間ドメインにおける複数のＳＹＮＣビーム及び代替送信を伴う複数のＴＲＰの配備の例である。
【図３１】マルチビーム完全ＳＹＮＣ信号又はマルチビーム部分ＳＹＮＣ信号タイプ１についての空間ドメイン共有の例である。
【図３２】マルチビーム部分ＳＹＮＣ信号タイプ２についての空間ドメイン共有の例である。
【図３３】時間ドメインにおける複数のＳＹＮＣビーム及び代替送信を伴う複数のＴＲＰの配備の例である。
【図３４】ＴＲＰがそれらのＳＹＮＣビームオーバラップの知識を得るための手続の例である。
【図３５】ＴＲＰ指向同期の例である。
【図３６】ＷＴＲＵ指向同期の例である。
【図３７】ハイブリッドＴＲＰ／ＷＴＲＵ指向同期の例である。
【発明を実施するための形態】
【００１７】
例示的な実施形態の詳細な説明が、ここで多様な図面を参照して説明される。この説明は、可能な実施態様の詳細な例を提供するが、詳細は、例示であることを意図するものであって、本出願の範囲を限定することを意図するものでは決してないことに留意すべきである。
【００１８】
図１Ａは、１つ以上の開示された実施形態が実施され得る、例としての通信システム１００を示す図である。通信システム１００は、音声、データ、ビデオ、メッセージ、ブロードキャストなどのコンテンツを複数のワイヤレスユーザに提供する、多重アクセスシステムであってもよい。通信システム１００は、複数のワイヤレスユーザが、ワイヤレス帯域幅を含むシステムリソースの共有を通してそのようなコンテンツにアクセスすることを可能にし得る。例えば、通信システム１００は、符号分割多重アクセス（ＣＤＭＡ：code  division  multiple  access）、時分割多重アクセス（ＴＤＭＡ：time  division  multiple  access）、周波数分割多重アクセス（ＦＤＭＡ：frequency  division  multiple  access）、直交ＦＤＭＡ（ＯＦＤＭＡ：orthogonal  FDMA）、シングルキャリアＦＤＭＡ（ＳＣ−ＦＤＭＡ：single-carrier  FDMA）、ゼロテールユニークワードＤＦＴ拡散ＯＦＤＭ（ＺＴ  ＵＷ  ＤＴＳ−ｓ  ＯＦＤＭ：zero-tail  unique-word  DFT-Spread  OFDM）、ユニークワードＯＦＤＭ（ＵＷ−ＯＦＤＭ：unique  word  OFDM）、リソースブロックフィルタ適用ＯＦＤＭ、フィルタバンクマルチキャリア（ＦＢＭＣ：filter  bank  multicarrier）などの、１つ以上のチャネルアクセス方法を採用してもよい。
【００１９】
図１Ａに示すように、通信システム１００は、ワイヤレス送信／受信ユニット（ＷＴＲＵ）１０２ａ、１０２ｂ、１０２ｃ、１０２ｄ、ＲＡＮ１０４／１１３、ＣＮ１０６／１１５、公衆交換電話網（ＰＳＴＮ：public  switched  telephone  network）１０８、インターネット１１０、及び他のネットワーク１１２を含み得るが、開示された実施形態は、任意の数のＷＴＲＵ、基地局、ネットワーク、及び／又はネットワーク要素を考慮すると理解されるものとする。ＷＴＲＵ１０２ａ、１０２ｂ、１０２ｃ、１０２ｄのそれぞれが、ワイヤレス環境において動作し、及び／又は通信するように構成される任意の種類のデバイスであってもよい。例として、ＷＴＲＵ１０２ａ、１０２ｂ、１０２ｃ、１０２ｄは、そのいずれかが、「ステーション」及び／又は「ＳＴＡ」と呼ばれてもよく、ワイヤレス信号を送信及び／又は受信するように構成されてもよく、ユーザ機器（ＵＥ：user  equipment）、移動局、固定又はモバイル加入者ユニット、加入ベースユニット、ページャ、携帯電話、携帯情報端末（ＰＤＡ：personal  digital  assistant）、スマートフォン、ラップトップ、ネットブック、パーソナルコンピュータ、ワイヤレスセンサ、ホットスポット又はＭｉ−Ｆｉデバイス、ＩｏＴ（Internet  of  Things）デバイス、ウォッチ又は他のウェアラブル、ヘッドマウンテッドディスプレイ（ＨＭＤ：head-mounted  display）、車両、ドローン、医療デバイス及びアプリケーション（例えば、遠隔手術）、産業デバイス及びアプリケーション（例えば、ロボット、並びに／又は産業及び／若しくは自動化処理連鎖コンテキストにおいて動作する他のワイヤレスデバイス）、家電デバイス、商業及び／又は産業ワイヤレスネットワーク上で動作するデバイスなどを含んでもよい。ＷＴＲＵ１０２ａ、１０２ｂ、１０２ｃ、及び１０２ｄのいずれかが、ＵＥと交換可能に呼ばれ得る。
【００２０】
通信システム１００は、基地局１１４ａ及び／又は基地局１１４ｂも含み得る。基地局１１４ａ、１１４ｂのそれぞれが、ＣＮ１０６／１１５、インターネット１１０、及び／又は他のネットワーク１１２などの１つ以上の通信ネットワークへのアクセスを容易にするために、ＷＴＲＵ１０２ａ、１０２ｂ、１０２ｃ、１０２ｄの少なくとも１つとワイヤレスでインタフェース接続するように構成される任意の種類のデバイスであってもよい。例として、基地局１１４ａ、１１４ｂは、基地送受信局（ＢＴＳ：base  transceiver  station）、ノードＢ、ｅノードＢ、ホームノードＢ、ホームｅノードＢ、ｇＮＢ、ＮＲノードＢ、サイトコントローラ、アクセスポイント（ＡＰ）、ワイヤレスルータなどであってもよい。基地局１１４ａ、１１４ｂは、単一要素としてそれぞれ示されているが、基地局１１４ａ、１１４ｂは、任意の数の相互接続された基地局及び／又はネットワーク要素を含んでもよいと理解されるものとする。
【００２１】
基地局１１４ａは、ＲＡＮ１０４／１１３の一部であってもよく、それは、基地局コントローラ（ＢＳＣ）、無線ネットワークコントローラ（ＲＮＣ）、中継ノードなどの、他の基地局及び／又はネットワーク要素（図示せず）も含んでもよい。基地局１１４ａ及び／又は基地局１１４ｂは、セル（図示せず）と呼ばれ得る、１つ以上のキャリア周波数上でワイヤレス信号を送信及び／又は受信するように構成されてもよい。これらの周波数は、ライセンス済みスペクトル、未ライセンススペクトル、又はライセンス済みと未ライセンススペクトルの組み合わせであってもよい。セルは、ワイヤレスサービスのためのカバレッジを、相対的に固定され得る、又は経時的に変化し得る特定の地理的エリアに提供してもよい。セルは、セルセクタにさらに分割されてもよい。例えば、基地局１１４ａに関連付けられるセルは、３つのセクタに分割されてもよい。したがって、１つの実施形態では、基地局１１４ａは、３つの送受信機、即ち、セルの各セクタにつき１つを含んでもよい。一実施形態では、基地局１１４ａは、ＭＩＭＯ（multiple-input  multiple  output）技術を採用してもよく、セルの各セクタにつき複数の送受信機を利用してもよい。例えば、ビームフォーミングは、所望の空間的方向で送信及び／又は受信するために使用されてもよい。
【００２２】
基地局１１４ａ、１１４ｂは、エアインタフェース１１６を介してＷＴＲＵ１０２ａ、１０２ｂ、１０２ｃ、１０２ｄのうちの１つ以上と通信してもよく、エアインタフェース１１６は、任意の適当なワイヤレス通信リンク（例えば、無線周波数（ＲＦ）、マイクロ波、センチメートル波、マイクロメートル波、赤外線（ＩＲ）、紫外線（ＵＶ）、可視光など）であってもよい。エアインタフェース１１６は、任意の適当な無線アクセス技術（ＲＡＴ：radio  access  technology）を使用して確立されてもよい。
【００２３】
より具体的には、上述のように、通信システム１００は、多重アクセスシステムであってもよく、ＣＤＭＡ、ＴＤＭＡ、ＦＤＭＡ、ＯＦＤＭＡ、ＳＣ−ＦＤＭＡなどの１つ以上のチャネルアクセス方式を採用してもよい。例えば、ＲＡＮ１０４／１１３における基地局１１４ａ、及びＷＴＲＵ１０２ａ、１０２ｂ、１０２ｃは、ＵＭＴＳ（Universal  Mobile  Telecommunications  System）地上無線アクセス（ＵＴＲＡ）などの無線技術を実施してもよく、それは、広帯域ＣＤＭＡ（ＷＣＤＭＡ）を使用してエアインタフェース１１５／１１６／１１７を確立してもよい。ＷＣＤＭＡは、高速パケットアクセス（ＨＳＰＡ：High-Speed  Packet  Access）及び／又は進化型ＨＳＰＡ（ＨＳＰＡ＋）などの通信プロトコルを含んでもよい。ＨＳＰＡは、高速ダウンリンク（ＤＬ）パケットアクセス（ＨＳＤＰＡ）及び／又は高速ＵＬパケットアクセス（ＨＳＵＰＡ）を含んでもよい。
【００２４】
一実施形態では、基地局１１４ａ及びＷＴＲＵ１０２ａ、１０２ｂ、１０２ｃが、進化型ＵＭＴＳ地上無線アクセス（Ｅ−ＵＴＲＡ）などの無線技術を実施してもよく、それは、ＬＴＥ（Long  Term  Evolution）及び／又はＬＴＥ−Ａ（LTE-Advanced）及び／又はＬＴＥ−Ａ  Ｐｒｏ（LTE-Advanced  Pro）を使用してエアインタフェース１１６を確立してもよい。
【００２５】
一実施形態では、基地局１１４ａ及びＷＴＲＵ１０２ａ、１０２ｂ、１０２ｃが、ＮＲ無線アクセスなどの無線技術を実施してもよく、それは、ＮＲ（New  Radio）を使用してエアインタフェース１１６を確立してもよい。
【００２６】
一実施形態では、基地局１１４ａ及びＷＴＲＵ１０２ａ、１０２ｂ、１０２ｃは、複数の無線アクセス技術を実施してもよい。例えば、基地局１１４ａ及びＷＴＲＵ１０２ａ、１０２ｂ、１０２ｃは、例えば、デュアルコネクティビティ（ＤＣ：dual  connectivity）原理を使用して、ＬＴＥ無線アクセス及びＮＲ無線アクセスを共に実施してもよい。したがって、ＷＴＲＵ１０２ａ、１０２ｂ、１０２ｃによって利用されるエアインタフェースは、複数種類の無線アクセス技術、並びに／又は複数種類の基地局（例えば、ｅＮＢ及びｇＮＢ）へ／から送信される送信によって特徴付けられてもよい。
【００２７】
他の実施形態では、基地局１１４ａ及びＷＴＲＵ１０２ａ、１０２ｂ、１０２ｃは、ＩＥＥＥ８０２．１１（即ち、ＷｉＦｉ（Wireless  Fidelity））、ＩＥＥＥ８０２．１６（即ち、ＷｉＭＡＸ（Worldwide  Interoperability  for  Microwave  Access））、ＣＤＭＡ２０００、ＣＤＭＡ２０００  １Ｘ、ＣＤＭＡ２０００  ＥＶ−ＤＯ、ＩＳ−２０００（Interim  Standard  2000）、ＩＳ−９５（Interim  Standard  95）、ＩＳ−８５６（Interim  Standard  856）、ＧＳＭ（Global  System  for  Mobile  communications）、ＥＤＧＥ（Enhanced  Data  rates  for  GSM  Evolution）、ＧＳＭ  ＥＤＧＥ（ＧＥＲＡＮ）などの無線技術を実施してもよい。
【００２８】
図１Ａ内の基地局１１４ｂは、例えば、ワイヤレスルータ、ホームノードＢ、ホームｅノードＢ、又はアクセスポイントであってもよく、事業所、家庭、車両、キャンパス、産業施設、空中回廊（例えば、ドローンによる使用のための）、車道などの局所的エリア内のワイヤレス接続性を容易にするための任意の適当なＲＡＴを利用してもよい。１つの実施形態では、基地局１１４ｂ及びＷＴＲＵ１０２ｃ、１０２ｄは、ＩＥＥＥ８０２．１１などの無線技術を実施して、ワイヤレスローカルエリアネットワーク（ＷＬＡＮ：wireless  local  area  network）を確立してもよい。一実施形態では、基地局１１４ｂ及びＷＴＲＵ１０２ｃ、１０２ｄは、ＩＥＥＥ８０２．１５などの無線技術を実施して、ワイヤレスパーソナルエリアネットワーク（ＷＰＡＮ：wireless  personal  area  network）を確立してもよい。さらに別の実施形態では、基地局１１４ｂ及びＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセル又はフェムトセルを確立してもよい。図１Ａに示すように、基地局１１４ｂは、インターネット１１０への直接接続を有してもよい。したがって、基地局１１４ｂは、ＣＮ１０６／１１５を介してインターネット１１０にアクセスする必要がない場合がある。
【００２９】
ＲＡＮ１０４／１１３は、ＣＮ１０６／１１５と通信関係にあってもよく、ＣＮ１０６／１１５は、音声、データ、アプリケーション、及び／又はＶｏＩＰ（voice  over  internet  protocol）サービスをＷＴＲＵ１０２ａ、１０２ｂ、１０２ｃ、１０２ｄのうちの１つ以上に提供するように構成される、任意のタイプのネットワークであってもよい。データは、異なるスループット要件、レイテンシ要件、誤り耐性要件、信頼性要件、データスループット要件、モビリティ要件などの、変化するサービス品質（ＱｏＳ：quality  of  service）要件を有し得る。ＣＮ１０６／１１５は、呼制御、課金サービス、モバイル位置ベースサービス、プリペイドコーリング、インターネット接続性、映像配信などを提供してもよく、及び／又はユーザ認証などの高レベルのセキュリティ機能を実行してもよい。図１Ａには示されていないが、ＲＡＮ１０４／１１３及び／又はＣＮ１０６／１１５は、ＲＡＮ１０４／１１３と同一のＲＡＴ、又は異なるＲＡＴを採用する他のＲＡＮと直接的又は間接的な通信関係にあってもよいと理解されるものとする。例えば、ＮＲ無線技術を利用している可能性があるＲＡＮ１０４／１１３に接続されることに加えて、ＣＮ１０６／１１５は、ＧＳＭ、ＵＭＴＳ、ＣＤＭＡ２０００、ＷｉＭＡＸ、Ｅ−ＵＴＲＡ、又はＷｉＦｉ無線技術を採用している別のＲＡＮ（図示せず）とも通信関係にあってもよい。
【００３０】
ＣＮ１０６／１１５は、ＷＴＲＵ１０２ａ、１０２ｂ、１０２ｃ、１０２ｄがＰＳＴＮ１０８、インターネット１１０、及び／又は他のネットワーク１１２にアクセスするためのゲートウェイの役割もしてもよい。ＰＳＴＮ１０８は、ＰＯＴＳ（plain  old  telephone  service）を提供する回線交換電話ネットワークを含んでもよい。インターネット１１０は、ＴＣＰ／ＩＰインターネットプロトコルスイートにおけるＴＣＰ（transmission  control  protocol）、ＵＤＰ（user  datagram  protocol）、及び／又はＩＰ（internet  protocol）などの共通通信プロトコルを使用する、相互接続されたコンピュータネットワーク及びデバイスのグローバルシステムを含んでもよい。ネットワーク１１２は、他のサービスプロバイダによって所有され、及び／又は運用される有線及び／又は無線通信ネットワークを含んでもよい。例えば、ネットワーク１１２は、１つ以上のＲＡＮに接続される別のＣＮを含んでもよく、ＲＡＮは、ＲＡＮ１０４／１１３と同一のＲＡＴ、又は異なるＲＡＴを採用してもよい。
【００３１】
通信システム１００内のＷＴＲＵ１０２ａ、１０２ｂ、１０２ｃ、１０２ｄのうちのいくつか又は全てが、マルチモードケイパビリティを含んでもよい（例えば、ＷＴＲＵ１０２ａ、１０２ｂ、１０２ｃ、１０２ｄは、異なるワイヤレスリンクを介して異なるワイヤレスネットワークと通信するための複数の送受信機を含んでもよい）。例えば、図１Ａに示されるＷＴＲＵ１０２ｃは、セルラベースの無線技術を採用し得る基地局１１４ａ、及びＩＥＥＥ８０２無線技術を採用し得る基地局１１４ｂと通信するように構成されてもよい。
【００３２】
図１Ｂは、例としてのＷＴＲＵ１０２を示すシステム図である。図１Ｂに示すように、ＷＴＲＵ１０２は、プロセッサ１１８、送受信機１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳ（global  positioning  system）チップセット１３６、及び／又は他の周辺機器１３８を、中でも含み得る。ＷＴＲＵ１０２は、一実施形態と一貫性を保ちつつ、前述の要素の任意の部分的組み合わせを含み得ると理解されるものとする。
【００３３】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連する１つ以上のマイクロプロセッサ、コントローラ、マイクロコントローラ、特定用途向け集積回路（ＡＳＩＣ：Application  Specific  Integrated  Circuit）、フィールドプログラマブルゲートアレイ（ＦＰＧＡ：Field  Programmable  Gate  Array）回路、任意の他の種類の集積回路（ＩＣ：integrated  circuit）、状態機械などであってもよい。プロセッサ１１８は、信号符号化、データ処理、電力制御、入力／出力処理、及び／又はＷＴＲＵ１０２がワイヤレス環境で動作することを可能にする任意の他の機能性を実行してもよい。プロセッサ１１８は、送信／受信要素１２２に連結され得る送受信機１２０に連結されてもよい。図１Ｂには、プロセッサ１１８及び送受信機１２０が別個のコンポーネントとして示されているが、プロセッサ１１８及び送受信機１２０は、電子パッケージ又はチップにおいて一体化され得ると理解されるものとする。
【００３４】
送信／受信要素１２２は、エアインタフェース１１６を介して基地局（例えば、基地局１１４ａ）に信号を送信し、又は基地局から信号を受信するように構成されてもよい。例えば、１つの実施形態では、送信／受信要素１２２は、ＲＦ信号を送信及び／又は受信するように構成されるアンテナであってもよい。一実施形態では、送信／受信要素１２２は、例えば、ＩＲ、ＵＶ、又は可視光信号を送信及び／又は受信するように構成される放射器／検出器であってもよい。さらに別の実施形態では、送信／受信要素１２２は、ＲＦ及び光信号の両方を送信及び／又は受信するように構成されてもよい。送信／受信要素１２２は、任意の組み合わせのワイヤレス信号を送信及び／又は受信するように構成され得ると理解されるものとする。
【００３５】
送信／受信要素１２２は、図１Ｂにおいて単一要素として示されているが、ＷＴＲＵ１０２は、任意の数の送信／受信要素１２２を含んでもよい。より具体的には、ＷＴＲＵ１０２は、ＭＩＭＯ技術を採用してもよい。したがって、１つの実施形態では、ＷＴＲＵ１０２は、エアインタフェース１１６を介してワイヤレス信号を送信及び受信するための２つ以上の送信／受信要素１２２（例えば、複数のアンテナ）を含んでもよい。
【００３６】
送受信機１２０は、送信／受信要素１２２によって送信されるべき信号を変調し、送信／受信要素１２２によって受信される信号を復調するように構成されてもよい。上述のように、ＷＴＲＵ１０２は、マルチモードケイパビリティを有してもよい。したがって、送受信機１２０は、ＷＴＲＵ１０２が、例えば、ＮＲ及びＩＥＥＥ８０２．１１などの複数のＲＡＴを介して通信することを可能にするための、複数の送受信機を含んでもよい。
【００３７】
ＷＴＲＵ１０２のプロセッサ１１８は、スピーカ／マイクロフォン１２４、キーパッド１２６、及び／又はディスプレイ／タッチバッド１２８（例えば、液晶ディスプレイ（ＬＣＤ：liquid  crystal  display）表示ユニット若しくは有機発光ダイオード（ＯＬＥＤ：organic  light-emitting  diode）表示ユニット）に連結されてもよく、かつそれらからユーザ入力データを受信してもよい。プロセッサ１１８は、また、スピーカ／マイクロフォン１２４、キーパッド１２６、及び／又はディスプレイ／タッチパッド１２８にユーザデータを出力してもよい。加えて、プロセッサ１１８は、非リムーバブルメモリ１３０及び／又はリムーバブルメモリ１３２などの任意の種類の適当なメモリから情報にアクセスしてもよく、メモリにデータを記憶してもよい。非リムーバブルメモリ１３０は、ランダムアクセスメモリ（ＲＡＭ：random-access  memory）、読み取り専用メモリ（ＲＯＭ：read-only  memory）、ハードディスク、又は任意の他の種類のメモリ記憶デバイスを含んでもよい。リムーバブルメモリ１３２は、ＳＩＭ（subscriber  identity  module）カード、メモリスティック、ＳＤ（secure  digital）メモリカードなどを含んでもよい。他の実施形態では、プロセッサ１１８は、サーバ又はホームコンピュータ（図示せず）上などの、ＷＴＲＵ１０２上に物理的に位置しないメモリから情報にアクセスしてもよく、メモリにデータを記憶してもよい。
【００３８】
プロセッサ１１８は、電源１３４から電力を受信してもよく、ＷＴＲＵ１０２内の他のコンポーネントに電力を分配し、及び／又は制御するように構成されてもよい。電源１３４は、ＷＴＲＵ１０２に電力供給するための任意の適当なデバイスであってもよい。例えば、電源１３４は、１つ以上の乾電池（例えば、ニッケルカドミウム（ＮｉＣｄ）、ニッケル亜鉛（ＮｉＺｎ）、ニッケル水素（ＮｉＭＨ）、リチウムイオン（Li-ion）など）、太陽電池、燃料電池などを含んでもよい。
【００３９】
プロセッサ１１８は、ＧＰＳチップセット１３６にも連結されてもよく、ＧＰＳチップセット１３６は、ＷＴＲＵ１０２の現在位置に関する位置情報（例えば、経度及び緯度）を提供するように構成されてもよい。ＧＰＳチップセット１３６からの情報に加えて、又はその代わりに、ＷＴＲＵ１０２は、エアインタフェース１１６を介して基地局（例えば、基地局１１４ａ、１１４ｂ）から位置情報を受信してもよく、及び／又は２つ以上の近くの基地局から受信されている信号のタイミングに基づいて、その位置を判断してもよい。ＷＴＲＵ１０２は、一実施形態と一貫性を保ちつつ、任意の適当な位置判断方法を経て位置情報を取得し得ると理解されるものとする。
【００４０】
プロセッサ１１８は、他の周辺機器１３８にさらに連結されてもよく、他の周辺機器１３８は、追加の特徴、機能性、及び／又は有線若しくは無線接続性を提供する、１つ以上のソフトウェア及び／又はハードウェアモジュールを含んでもよい。例えば、周辺機器１３８は、加速度計、ｅコンパス、衛星送受信機、デジタルカメラ（写真及び／又はビデオ用）、ＵＳＢ（universal  serial  bus）ポート、振動デバイス、テレビジョン送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、仮想現実及び／又は拡張現実（ＶＲ／ＡＲ）デバイス、アクティビティトラッカなどを含んでもよい。周辺機器１３８は、１つ以上のセンサを含んでもよく、センサは、ジャイロスコープ、加速度計、ホール効果センサ、磁力計、姿勢センサ、近接センサ、温度センサ、時間センサ、測位センサ、高度計、光センサ、タッチセンサ、磁力計、気圧計、ジェスチャセンサ、生体認証センサ、及び／又は湿度センサのうちの１つ以上であってもよい。
【００４１】
ＷＴＲＵ１０２は、（例えば、ＵＬ（例えば、送信用）及びダウンリンク（例えば、受信用）両方についての特定のサブフレームに関連付けられる）信号のうちのいくつか又は全ての送信及び受信が並行して、及び／又は同時に行われ得る、全二重無線を含んでもよい。全二重無線は、ハードウェア（例えば、チョーク）又はプロセッサによる（例えば、別々のプロセッサ（図示せず）若しくはプロセッサ１１８による）信号処理のいずれかを介して自己干渉を減少させ、及び／又は実質的に除去するための干渉管理ユニットを含んでもよい。一実施形態では、ＷＴＲＵ１０２は、（例えば、ＵＬ（例えば、送信用）又はダウンリンク（例えば、受信用）のいずれかのための特定のサブフレームに関連付けられる）信号のうちのいくつか又は全ての送信及び受信が半二重無線を含んでもよい。
【００４２】
図１Ｃは、一実施形態による、ＲＡＮ１０４及びＣＮ１０６を示すシステム図である。上述のように、ＲＡＮ１０４は、エアインタフェース１１６を介してＷＴＲＵ１０２ａ、１０２ｂ、１０２ｃと通信するためにＥ−ＵＴＲＡ無線技術を採用してもよい。ＲＡＮ１０４は、ＣＮ１０６とも通信関係にあってもよい。
【００４３】
ＲＡＮ１０４は、ｅノードＢ１６０ａ、１６０ｂ、１６０ｃを含み得るが、ＲＡＮ１０４は、一実施形態と一貫性を保ちつつ、任意の数のｅノードＢを含み得ると理解されるものとする。ｅノードＢ１６０ａ、１６０ｂ、１６０ｃは、エアインタフェース１１６を介してＷＴＲＵ１０２ａ、１０２ｂ、１０２ｃと通信するための１つ以上の送受信機をそれぞれ含んでもよい。１つの実施形態では、ｅノードＢ１６０ａ、１６０ｂ、１６０ｃは、ＭＩＭＯ技術を実施してもよい。したがって、ｅノードＢ１６０ａは、例えば、複数のアンテナを使用して、ＷＴＲＵ１０２ａにワイヤレス信号を送信し、及び／又はＷＴＲＵ１０２ａからワイヤレス信号を受信してもよい。
【００４４】
ｅノードＢ１６０ａ、１６０ｂ、１６０ｃのそれぞれが、特定セル（図示せず）に関連付けられてもよく、無線リソース管理決定、ハンドオーバ決定、ＵＬ及び／又はＤＬにおけるユーザのスケジューリングなどをハンドリングするように構成されてもよい。図１Ｃに示すように、ｅノードＢ１６０ａ、１６０ｂ、１６０ｃは、Ｘ２インタフェースを介して互いに通信してもよい。
【００４５】
図１Ｃに示すＣＮ１０６は、移動管理エンティティ（ＭＭＥ）１６２、サービングゲートウェイ（ＳＧＷ）１６４、及びパケットデータネットワーク（ＰＤＮ）ゲートウェイ（又はＰＧＷ）１６６を含んでもよい。前述の要素のそれぞれが、ＣＮ１０６の一部として示されているが、これらの要素のいずれかが、ＣＮ事業者以外の主体によって所有され、及び／又は運用され得ると理解されるものとする。
【００４６】
ＭＭＥ１６２は、Ｓ１インタフェースを介してＲＡＮ１０４内のｅノードＢ１６２ａ、１６２ｂ、１６２ｃのそれぞれに接続されてもよく、制御ノードとしての役割をしてもよい。例えば、ＭＭＥ１６２は、ＷＴＲＵ１０２ａ、１０２ｂ、１０２ｃのユーザ認証、ベアラアクティブ化／非アクティブ化、ＷＴＲＵ１０２ａ、１０２ｂ、１０２ｃの初期アタッチ中の特定のサービングゲートウェイの選択などを担当してもよい。ＭＭＥ１６２は、ＲＡＮ１０４と、ＧＳＭ及び／又はＷＣＤＭＡなどの他の無線技術を採用する他のＲＡＮ（図示せず）との間でスイッチするための制御プレーン機能を提供してもよい。
【００４７】
ＳＧＷ１６４は、Ｓ１インタフェースを介してＲＡＮ１０４内のｅノードＢ１６０ａ、１６０ｂ、１６０ｃのそれぞれに接続されてもよい。ＳＧＷ１６４は、概して、ＷＴＲＵ１０２ａ、１０２ｂ、１０２ｃへ／からユーザデータパケットをルーティングし、転送してもよい。ＳＧＷ１６４は、ｅノードＢ間ハンドオーバ中にユーザプレーンをアンカリングすること、ＤＬデータがＷＴＲＵ１０２ａ、１０２ｂ、１０２ｃに利用可能であるときにページングをトリガすること、ＷＴＲＵ１０２ａ、１０２ｂ、１０２ｃのコンテキストを管理及び記憶すること、などの他の機能を実行してもよい。
【００４８】
ＳＧＷ１６４は、ＰＧＷ１６６に接続されてもよく、ＰＧＷ１６６は、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換ネットワークへのアクセスを提供してもよい。
【００４９】
ＣＮ１０６は、他のネットワークとの通信を容易にし得る。例えば、ＣＮ１０６は、ＷＴＲＵ１０２ａ、１０２ｂ、１０２ｃと従来の地上線通信デバイスとの間の通信を容易にするために、ＷＴＲＵ１０２ａ、１０２ｂ、１０２ｃにＰＳＴＮ１０８などの回線交換ネットワークへのアクセスを提供してもよい。例えば、ＣＮ１０６は、ＣＮ１０６とＰＳＴＮ１０８との間のインタフェースの役割をするＩＰゲートウェイ（例えば、ＩＰマルチメディアサブシステム（ＩＭＳ）サーバ）を含んでもよく、又はＩＰゲートウェイと通信してもよい。さらに、ＣＮ１０６は、ＷＴＲＵ１０２ａ、１０２ｂ、１０２ｃに他のネットワーク１１２へのアクセスを提供してもよく、ネットワーク１１２は、他のサービスプロバイダによって所有され、及び／又は運用されている他の有線及び／又は無線ネットワークを含んでもよい。
【００５０】
ＷＴＲＵは、図１Ａ〜１Ｄではワイヤレス端末として説明されるが、ある代表的な実施形態において、そのような端末は、通信ネットワークとの有線通信インタフェースを（例えば、一時的に、又は永続的に）使用し得ると考えられる。
【００５１】
代表的な実施形態では、他のネットワーク１１２は、ＷＬＡＮであってもよい。
【００５２】
インフラストラクチャ基本サービスセット（ＢＳＳ：Basic  Service  Set）モードにおけるＷＬＡＮは、ＢＳＳのためのアクセスポイント（ＡＰ）及びＡＰに関連付けられる１つ以上のステーション（ＳＴＡ）を有してもよい。ＡＰは、分散システム（ＤＳ）又はＢＳＳ内及び／又はＢＳＳ外にトラフィックを搬送する別のタイプの有線／無線ネットワークへのアクセス又はインタフェースを有してもよい。ＢＳＳ外から始まるＳＴＡへのトラフィックは、ＡＰを通して到来してもよく、ＳＴＡに配信されてもよい。ＢＳＳ外の宛先へのＳＴＡから始まるトラフィックは、ＡＰに送信されて、それぞれの宛先に配信されてもよい。ＢＳＳ内のＳＴＡ間のトラフィックは、ＡＰを通して送信されてもよく、例えば、その場合に、ソースＳＴＡは、ＡＰへトラフィックを送信してもよく、ＡＰは、宛先ＳＴＡへトラフィックを配信してもよい。ＢＳＳ内のＳＴＡ間のトラフィックは、考慮されてもよく、及び／又はピアツーピアトラフィックと呼ばれてもよい。ピアツーピアトラフィックは、ソースと宛先ＳＴＡとの間で（例えば、直接的に）ダイレクトリンクセットアップ（ＤＬＳ：direct  link  setup）で送信されてもよい。ある代表的な実施形態では、ＤＬＳは、８０２．１１ｅＤＬＳ又は８０２．１１ｚトンネルＤＬＳ（ＴＤＬＳ）を使用してもよい。独立ＢＳＳ（ＩＢＳＳ）モードを使用するＷＬＡＮは、ＡＰを有しなくてもよく、ＩＢＳＳ内の、又はＩＢＳＳを使用するＳＴＡ（例えば、ＳＴＡの全て）が、互いに直接通信してもよい。通信のＩＢＳＳモードは、時には、通信の「アドホック」モードとここで呼ばれ得る。
【００５３】
動作の８０２．１１ａｃインフラストラクチャモード又は動作の類似のモードを使用するとき、ＡＰは、プライマリチャネルなどの固定チャネル上でビーコンを送信してもよい。プライマリチャネルは、固定幅（例えば、２０ＭＨｚ幅の帯域幅）であってもよく、又はシグナリングを介して幅を動的に設定されてもよい。プライマリチャネルは、ＢＳＳの動作チャネルであってもよく、ＡＰとの接続を確立するためにＳＴＡによって使用されてもよい。ある代表的な実施形態では、ＣＳＭＡ／ＣＡ（Carrier  Sense  Multiple  Access  with  Collision  Avoidance）は、例えば、８０２．１１システムにおいて実施されてもよい。ＣＳＭＡ／ＣＡの場合、ＡＰを含むＳＴＡ（例えば、あらゆるＳＴＡ）は、プライマリチャネルを感知してもよい。プライマリチャネルが、特定のＳＴＡによって感知／検出され、及び／又はビジーであると判断される場合に、特定のＳＴＡはバックオフしてもよい。１つのＳＴＡ（例えば、１つのステーションのみ）が、所与のＢＳＳにおいて任意の所与の時間に送信してもよい。
【００５４】
高スループット（ＨＴ：High  Throughput）ＳＴＡは、例えば、４０ＭＨｚ幅チャネルを形成するようにプライマリ２０ＭＨｚチャネルと隣接又は非隣接の２０ＭＨｚチャネルとの組み合わせによって、通信用に４０ＭＨｚ幅チャネルを使用し得る。
【００５５】
非常に高いスループット（ＶＨＴ：Very  High  Throughput）のＳＴＡは、２０ＭＨｚ、４０ＭＨｚ、８０ＭＨｚ、及び／又は１６０ＭＨｚ幅チャネルをサポートしてもよい。４０ＭＨｚ及び／又は８０ＭＨｚチャネルは、連続した２０ＭＨｚチャネルを組み合わせることによって形成されてもよい。１６０ＭＨｚチャネルは、８つの連続した２０ＭＨｚチャネルを組み合わせることによって形成されてもよく、又は２つの非連続の８０ＭＨｚチャネルを組み合わせることによって形成されてもよく、それは、８０＋８０構成と呼ばれ得る。８０＋８０構成の場合、チャネル符号化の後、データは、データを２つのストリームに分割し得るセグメントパーサを通過してもよい。逆高速フーリエ変換（ＩＦＦＴ：Inverse  Fast  Fourier  Transform）処理、及び時間ドメイン処理は、それぞれのストリーム上で個々に行われ得る。ストリームは、２つの８０ＭＨｚチャネル上にマッピングされてもよく、データは、送信側ＳＴＡによって送信されてもよい。受信側ＳＴＡの受信機において、８０＋８０構成についての上述の動作が、逆行してもよく、組み合わされたデータは、メディアアクセス制御（ＭＡＣ：Medium  Access  Control）に送信されてもよい。
【００５６】
動作のサブ１ＧＨｚモードが、８０２．１１ａｆ及び８０２．１１ａｈによってサポートされる。チャネル動作帯域幅及びキャリアは、８０２．１１ａｆ及び８０２．１１ａｈにおいては、８０２．１１ｎ及び８０２．１１ａｃにおいて使用されるものと比較して減少される。８０２．１１ａｆは、ＴＶホワイトスペース（ＴＶＷＳ：TV  White  Space）スペクトルにおいて５ＭＨｚ、１０ＭＨｚ、及び２０ＭＨｚ帯域幅をサポートし、８０２．１１ａｈは、非ＴＶＷＳスペクトルを使用して１ＭＨｚ、２ＭＨｚ、４ＭＨｚ、８ＭＨｚ、及び１６ＭＨｚ帯域幅をサポートする。代表的な実施形態によれば、８０２．１１ａｈは、マクロカバレッジエリアにおけるＭＴＣデバイスのように、メータ型制御／マシン型通信をサポートしてもよい。ＭＴＣデバイスは、あるケイパビリティ、例えば、ある帯域幅及び／又は制限された帯域幅に対するサポート（例えば、サポートのみ）を含む、制限されたケイパビリティを有してもよい。ＭＴＣデバイスは、（例えば、非常に長い電池寿命を維持するために、）閾値を超える電池寿命を有する電池を含んでもよい。
【００５７】
８０２．１１ｎ、８０２．１１ａｃ、８０２．１１ａｆ、及び８０２．１１ａｈなどの、複数チャネル及びチャネル帯域幅をサポートし得るＷＬＡＮシステムは、プライマリチャネルとして指定され得るチャネルを含む。プライマリチャネルは、ＢＳＳにおいて全てのＳＴＡによってサポートされる最大共通動作帯域幅と等しい帯域幅を有してもよい。プライマリチャネルの帯域幅は、ＢＳＳにおいて動作する際に全てのＳＴＡの中からＳＴＡによって設定及び／又は制限されてもよく、それが、最小帯域幅動作モードをサポートする。８０２．１１ａｈの例では、ＡＰ及びＢＳＳにおける他のＳＴＡが、２ＭＨｚ、４ＭＨｚ、８ＭＨｚ、１６ＭＨｚ、及び／又は他のチャネル帯域幅動作モードをサポートする場合でも、プライマリチャネルは、１ＭＨｚモードをサポートする（例えば、１ＭＨｚモードのみをサポートする）ＳＴＡ（例えば、ＭＴＣ型デバイス）のための１ＭＨｚ幅であってもよい。キャリアセンシング及び／又はネットワーク割り当てベクタ（ＮＡＶ：Network  Allocation  Vector）設定は、プライマリチャネルの状態に依存してもよい。プライマリチャネルが、例えば、（１ＭＨｚ動作モードのみをサポートする）ＳＴＡに起因して、ＡＰに送信するのにビジーである場合、周波数帯域の大部分がアイドルのままであり、利用可能であり得るが、利用可能な周波数帯域全体が、ビジーであるとみなされ得る。
【００５８】
米国では、８０２．１１ａｈによって使用され得る利用可能な周波数帯域は、９０２ＭＨｚから９２８ＭＨｚである。韓国では、利用可能な周波数帯域は、９１７．５ＭＨｚから９２３．５ＭＨｚである。日本では、利用可能な周波数帯域は、９１６．５ＭＨｚから９２７．５ＭＨｚである。８０２．１１ａｈに利用可能な総帯域幅は、国コードに依存して６ＭＨｚから２６ＭＨｚである。
【００５９】
図１Ｄは、一実施形態による、ＲＡＮ１１３及びＣＮ１１５を示すシステム図である。上述のように、ＲＡＮ１１３は、エアインタフェース１１６を介してＷＴＲＵ１０２ａ、１０２ｂ、１０２ｃと通信するためにＮＲ無線技術を採用してもよい。ＲＡＮ１１３は、ＣＮ１１５とも通信関係にあってもよい。
【００６０】
ＲＡＮ１１３は、ｇＮＢ１８０ａ、１８０ｂ、１８０ｃを含み得るが、ＲＡＮ１１３は、一実施形態と一貫性を保ちつつ、任意の数のｇＮＢを含み得ると理解されるものとする。ｇＮＢ１８０ａ、１８０ｂ、１８０ｃは、エアインタフェース１１６を介してＷＴＲＵ１０２ａ、１０２ｂ、１０２ｃと通信するための１つ以上の送受信機をそれぞれ含んでもよい。１つの実施形態では、ｇＮＢ１８０ａ、１８０ｂ、１８０ｃは、ＭＩＭＯ技術を実施してもよい。例えば、ｇＮＢ１８０ａ、１８０ｂは、ビームフォーミングを利用して、ｇＮＢ１８０ａ、１８０ｂ、１８０ｃに信号を送信し、及び／又はｇＮＢ１８０ａ、１８０ｂ、１８０ｃから信号を受信してもよい。したがって、ｇＮＢ１８０ａは、例えば、複数のアンテナを使用して、ＷＴＲＵ１０２ａにワイヤレス信号を送信し、及び／又はＷＴＲＵ１０２ａからワイヤレス信号を受信してもよい。一実施形態では、ｇＮＢ１８０ａ、１８０ｂ、１８０ｃは、キャリアアグリゲーション技術を実施してもよい。例えば、ｇＮＢ１８０ａは、ＷＴＲＵ１０２ａ（図示せず）に複数のコンポーネントキャリアを送信してもよい。これらのコンポーネントキャリアのサブセットは、未ライセンススペクトル上にあってもよく、一方、残りのコンポーネントキャリアは、ライセンス済みスペクトル上にあってもよい。一実施形態では、ｇＮＢ１８０ａ、１８０ｂ、１８０ｃは、協調マルチポイント（ＣｏＭＰ：Coordinated  Multi-Point）技術を実施してもよい。例えば、ＷＴＲＵ１０２ａは、ｇＮＢ１８０ａ及びｇＮＢ１８０ｂ（及び／又はｇＮＢ１８０ｃ）から協調型送信を受信してもよい。
【００６１】
ＷＴＲＵ１０２ａ、１０２ｂ、１０２ｃは、スケーラブルなヌメロロジーに関連付けられる送信を用いて、ｇＮＢ１８０ａ、１８０ｂ、１８０ｃと通信してもよい。例えば、ＯＦＤＭシンボルスペーシング及び／又はＯＦＤＭサブキャリアスペーシングは、異なる送信、異なるセル、及び／又はワイヤレス送信スペクトルの異なる部分に対して変動してもよい。ＷＴＲＵ１０２ａ、１０２ｂ、１０２ｃは、多様な、又はスケーラブルな長さの（例えば、変化する数のＯＦＤＭシンボルを含む、及び／又は変化する長さの絶対時間持続する）サブフレーム又は送信時間間隔（ＴＴＩ：transmission  time  interval）を用いて、ｇＮＢ１８０ａ、１８０ｂ、１８０ｃと通信してもよい。
【００６２】
ｇＮＢ１８０ａ、１８０ｂ、１８０ｃは、スタンドアロン構成及び／又は非スタンドアロン構成において、ＷＴＲＵ１０２ａ、１０２ｂ、１０２ｃと通信するように構成されてもよい。スタンドアロン構成では、ＷＴＲＵ１０２ａ、１０２ｂ、１０２ｃは、他のＲＡＮ（例えば、ｅノードＢ１６０ａ、１６０ｂ、１６０ｃなど）にもアクセスすることなく、ｇＮＢ１８０ａ、１８０ｂ、１８０ｃと通信してもよい。スタンドアロン構成では、ＷＴＲＵ１０２ａ、１０２ｂ、１０２ｃは、ｇＮＢ１８０ａ、１８０ｂ、１８０ｃのうちの１つ以上をモビリティアンカーポイントとして利用してもよい。スタンドアロン構成では、ＷＴＲＵ１０２ａ、１０２ｂ、１０２ｃは、未ライセンス帯域における信号を用いてｇＮＢ１８０ａ、１８０ｂ、１８０ｃと通信してもよい。非スタンドアロン構成では、ＷＴＲＵ１０２ａ、１０２ｂ、１０２ｃは、ｅノードＢ１６０ａ、１６０ｂ、１６０ｃなどの別のＲＡＮとも通信／接続しつつ、ｇＮＢ１８０ａ、１８０ｂ、１８０ｃと通信／接続してもよい。例えば、ＷＴＲＵ１０２ａ、１０２ｂ、１０２ｃは、ＤＣ原理を実施して、１つ以上のｇＮＢ１８０ａ、１８０ｂ、１８０ｃ及び１つ以上のｅノードＢ１６０ａ、１６０ｂ、１６０ｃと実質的に同時に通信してもよい。非スタンドアロン構成では、ｅノードＢ１６０ａ、１６０ｂ、１６０ｃは、ＷＴＲＵ１０２ａ、１０２ｂ、１０２ｃのためのモビリティアンカーの役割をしてもよく、ｇＮＢ１８０ａ、１８０ｂ、１８０ｃは、ＷＴＲＵ１０２ａ、１０２ｂ、１０２ｃにサービスするための追加カバレッジ及び／又はスループットを提供してもよい。
【００６３】
ｇＮＢ１８０ａ、１８０ｂ、１８０ｃのそれぞれが、特定セル（図示せず）に関連付けられてもよく、無線リソース管理決定、ハンドオーバ決定、ＵＬ及び／又はＤＬにおけるユーザのスケジューリング、ネットワークスライシングのサポート、デュアルコネクティビティ、ＮＲとＥ−ＵＴＲＡとの間のインターワーキング、ユーザプレーン機能（ＵＰＦ：User  Plane  Function）１８４ａ、１８４ｂに向けたユーザプレーンデータのルーティング、アクセス及び移動管理機能（ＡＭＦ：Access  and  Mobility  Management  Function）１８２ａ、１８２ｂに向けた制御プレーン情報のルーティングなどをハンドリングするように構成されてもよい。図１Ｄに示すように、ｇＮＢ１８０ａ、１８０ｂ、１８０ｃは、Ｘｎインタフェースを介して互いに通信してもよい。
【００６４】
図１Ｄに示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ：Session  Management  Function）１８３ａ、１８３ｂ、及び、おそらくデータネットワーク（ＤＮ：Data  Network）１８５ａ、１８５ｂを含んでもよい。前述の要素のそれぞれが、ＣＮ１１５の一部として示されているが、これらの要素のいずれかが、ＣＮ事業者以外の主体によって所有され、及び／又は運用され得ると理解されるものとする。
【００６５】
ＡＭＦ１８２ａ、１８２ｂは、Ｎ２インタフェースを介してＲＡＮ１１３内のｇＮＢ１８０ａ、１８０ｂ、１８０ｃのうちの１つ以上に接続されてもよく、制御ノードとしての役割をしてもよい。例えば、ＡＭＦ１８２ａ、１８２ｂは、ＷＴＲＵ１０２ａ、１０２ｂ、１０２ｃのユーザの認証、ネットワークスライシングのためのサポート（例えば、異なる要件を有する異なるＰＤＵセッションのハンドリング）、特定ＳＭＦ１８３ａ、１８３ｂの選択、登録エリアの管理、ＮＡＳシグナリングの終端、移動管理などを担当してもよい。ネットワークスライシングは、ＷＴＲＵ１０２ａ、１０２ｂ、１０２ｃを利用されているサービスのタイプに基づいてＷＴＲＵ１０２ａ、１０２ｂ、１０２ｃのためのＣＮサポートをカスタマイズするために、ＡＭＦ１８２ａ、１８２ｂによって使用されてもよい。例えば、異なるネットワークスライスが、超高信頼低レイテンシ（ＵＲＬＬＣ：ultra-reliable  low  latency）アクセスに依拠するサービス、拡張大量モバイルブロードバンド（ｅＭＢＢ：enhanced  massive  mobile  broadband）アクセスに依拠するサービス、マシン型通信（ＭＴＣ：machine  type  communication）アクセスのためのサービスなどの、異なるユースケースに対して確立されてもよい。ＡＭＦ１６２は、ＲＡＮ１１３と、ＬＴＥ、ＬＴＥ−Ａ、ＬＴＥ−Ａ  Ｐｒｏなどの他の無線技術、及び／又はＷｉＦｉなどの非３ＧＰＰアクセス技術を採用する他のＲＡＮ（図示せず）との間でスイッチするための制御プレーン機能を提供してもよい。
【００６６】
ＳＭＦ１８３ａ、１８３ｂは、Ｎ１１インタフェースを介してＣＮ１１５内のＡＭＦ１８２ａ、１８２ｂに接続されてもよい。ＳＭＦ１８３ａ、１８３ｂは、Ｎ４インタフェースを介してＣＮ１１５内のＵＰＦ１８４ａ、１８４ｂにも接続されてもよい。ＳＭＦ１８３ａ、１８３ｂは、ＵＰＦ１８４ａ、１８４ｂを選択及び制御してもよく、ＵＰＦ１８４ａ、１８４ｂを通るトラフィックのルーティングを構成してもよい。ＳＭＦ１８３ａ、１８３ｂは、ＵＥのＩＰアドレスの管理及び割当て、ＰＤＵセッションの管理、ポリシー施行及びＱｏＳの制御、ダウンリンクデータ通知の提供などの、他の機能を実行してもよい。ＰＤＵセッションタイプは、ＩＰベース、非ＩＰベース、イーサネットベースなどであってもよい。
【００６７】
ＵＰＦ１８４ａ，１８４ｂは、Ｎ３インタフェースを介してＲＡＮ１１３内のｇＮＢ１８０ａ、１８０ｂ、１８０ｃのうちの１つ以上に接続されてもよく、Ｎ３インタフェースは、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換ネットワークへのアクセスを提供してもよい。ＵＰＦ１８４、１８４ｂは、パケットのルーティング及び転送、ユーザプレーンポリシーの施行、マルチホームのＰＤＵセッションのサポート、ユーザプレーンＱｏＳのハンドリング、ダウンリンクパケットのバッファリング、モビリティアンカリングの提供などの、他の機能を実行してもよい。
【００６８】
ＣＮ１１５は、他のネットワークとの通信を容易にし得る。例えば、ＣＮ１１５は、ＣＮ１１５とＰＳＴＮ１０８との間のインタフェースの役割をするＩＰゲートウェイ（例えば、ＩＰマルチメディアサブシステム（ＩＭＳ）サーバ）を含んでもよく、又はＩＰゲートウェイと通信してもよい。さらに、ＣＮ１１５は、ＷＴＲＵ１０２ａ、１０２ｂ、１０２ｃに他のネットワーク１１２へのアクセスを提供してもよく、ネットワーク１１２は、他のサービスプロバイダによって所有され、及び／又は運用されている他の有線及び／又は無線ネットワークを含んでもよい。１つの実施形態では、ＷＴＲＵ１０２ａ、１０２ｂ、１０２ｃは、ＵＰＦ１８４ａ、１８４ｂへのＮ３インタフェース、及びＵＰＦ１８４ａ、１８４ｂとＤＮ１８５ａ、１８５ｂとの間のＮ６インタフェースを介して、ＵＰＦ１８４ａ、１８４ｂを通しローカルデータネットワーク（ＤＮ：Data  Network）１８５ａ、１８５ｂに接続されてもよい。
【００６９】
図１Ａ〜１Ｄ及び図１Ａ〜１Ｄの対応する説明から見て、ＷＴＲＵ１０２ａ〜１０２ｄ、基地局１１４ａ〜１１４ｂ、ｅノードＢ１６０ａ〜１６０ｃ、ＭＭＥ１６２、ＳＧＷ１６４、ＰＧＷ１６６、ｇＮＢ１８０ａ〜１８０ｃ、ＡＭＦ１８２ａ〜１８２ｂ、ＵＰＦ１８４ａ〜１８４ｂ、ＳＭＦ１８３ａ〜１８３ｂ、ＤＮ１８５ａ〜１８５ｂ、及び／又はここで説明される任意の他のデバイスのうちの１つ以上に関してここで説明される機能のうちの１つ以上又は全てが、１つ以上のエミュレーションデバイス（図示せず）によって実行されてもよい。エミュレーションデバイスは、ここで説明される機能のうちの１つ以上又は全てをエミュレートするように構成される１つ以上のデバイスであってもよい。例えば、エミュレーションデバイスは、他のデバイスをテストするため、並びに／又はネットワーク及び／若しくはＷＴＲＵ機能をシミュレートするために使用されてもよい。
【００７０】
エミュレーションデバイスは、実験室の環境において、及び／又は事業者ネットワーク環境において、他のデバイスの１つ以上のテストを実施するように設計されてもよい。例えば、１つ以上のエミュレーションデバイスは、通信ネットワーク内の他のデバイスをテストするために、有線及び／又は無線通信ネットワークの一部として完全に又は部分的に実施及び／又は配備されつつ、１つ以上又は全ての機能を実行してもよい。１つ以上のエミュレーションデバイスは、有線及び／又は無線通信ネットワークの一部として一時的に実施／配備されつつ、１つ以上又は全ての機能を実行してもよい。エミュレーションデバイスは、テストのために別のデバイスに直接連結されてもよく、及び／又は地上波ワイヤレス通信を用いてテストを実行してもよい。
【００７１】
１つ以上のエミュレーションデバイスは、有線及び／又は無線通信ネットワークの一部として実施／配備されつつ、全てを含む１つ以上の機能を実行してもよい。例えば、エミュレーションデバイスは、１つ以上のコンポーネントのテストを実施するために、試験機関でのテストシナリオ、並びに／又は非配備（例えば、テスト）の有線及び／若しくは無線通信ネットワークにおいて利用されてもよい。１つ以上のエミュレーションデバイスは、試験機器であってもよい。ダイレクトＲＦカップリング及び／又は（例えば、１つ以上のアンテナを含み得る）ＲＦ回路を介したワイヤレス通信は、データを送信及び／又は受信するためにエミュレーションデバイスによって使用されてもよい。
【００７２】
５Ｇ  ＮＲ（New  Radio）ユースケースは、例えば、ｅＭＢＢ（Enhanced  Mobile  Broadband）、ｍＭＴＣ（Massive  Machine  Type  Communications）、及びＵＲＬＬＣ（Ultra  Reliable  and  Low  latency  Communications）を含んでもよい。異なるユースケースは、異なる要件（例えば、より高いデータレート、より高いスペクトル効率、より低い電力及びより高いエネルギー効率、より低いレイテンシ及びより高い信頼性）を有してもよい。広範囲のスペクトル帯域（例えば、７００ＭＨｚ〜８０ＧＨｚ）が、多様な配備シナリオにおいて使用され得る。
【００７３】
キャリア周波数が増加するにつれて、重度の経路損失がカバレッジを制限する可能性がある。ミリメータ波システムにおける送信は、（例えば、追加的に）見通し外損失、例えば、回折損失、透過損失、酸素吸収損失、木の葉の損失などに悩まされることがある。基地局及びＷＴＲＵは、例えば、初期アクセスの間に、高い経路損失を克服し、互いに発見し得る。ビームフォーミングされた信号は、例えば、アンテナ要素の多く（例えば、数十、又は数百）を利用することによって生成されてもよい。それは、著しいビームフォーミング利得をもたらすことによって、重度の経路損失を補償し得る。ビームフォーミング技術は、例えば、デジタル、アナログ、及びハイブリッドビームフォーミングを含み得る。
【００７４】
ＷＴＲＵは、セルサーチ手続を使用して、セルとの時間及び周波数同期を取得し、セルＩＤを検出してもよい。同期信号（例えば、ＬＴＥ同期信号）は、例えば、無線フレーム（例えば、毎）の０番目及び５番目のサブフレームにおいて送信されてもよく、例えば、初期化中に、時間及び周波数同期のために使用されてもよい。（例えば、システム取得プロセス中の）ＷＴＲＵは、例えば、同期信号に基づいて、ＯＦＤＭシンボル、スロット、サブフレーム、半無線フレーム、及び無線フレームに逐次的に同期してもよい。
【００７５】
複数の（例えば、２つの）同期信号（例えば、ＰＳＳ（Primary  Synchronization  Signals）及びＳＳＳ（Secondary  Synchronization  Signals））が存在し得る。ＰＳＳは、ＯＦＤＭシンボルタイミングを取得するために使用されてもよく、セル識別グループ内の物理レイヤセル識別（ＰＣＩ）を提供してもよい。ＳＳＳは、無線フレーム境界を取得するために使用されてもよく、ＷＴＲＵが、セル識別グループを判断することを可能にしてもよい。セル識別グループは、例えば、０から１６７の範囲であってもよい。同期信号（例えば、ＬＴＥ同期信号）及び／又はＰＢＣＨは、例えば、標準化された周期性に従って、連続的に送信されてもよい。
【００７６】
ＷＴＲＵは、（例えば、同期の成功及びＰＣＩ取得に続いて、）例えば、（例えば、ＰＢＣＨ固有ＤＭＲＳを使用して、）ＰＢＣＨ（Physical  Broadcast  Channel）を復号してもよく、システム帯域幅、システムフレーム番号（ＳＦＮ）、及び他のシステム情報に関するＭＩＢ情報を取得してもよい。
【００７７】
手続が、ビームフォーミングシステムにおける初期同期のために提供される。
【００７８】
シングル及びマルチビームベースの配備（例えば、ＮＲにおける）は、ＳＹＮＣ信号のための共通フレームワークを有してもよい。
【００７９】
ＳＹＮＣ手続は、単一ＴＲＰ又は複数ＴＲＰで構成され得る（例えば、ＮＲ）セルに、ＮＲセルＩＤ、及び初期時間／周波数同期を提供してもよい。
【００８０】
ビームスイープは、例えば、単一及び複数ＲＦチェーンのためのサービスエリアをカバーしてもよい。
【００８１】
完全カバレッジを提供するビームスイープには、減少されたオーバヘッドが提供されてもよい。
【００８２】
手続は、ビームＩＤを検出してもよい。ビームＩＤは、ビームＩＤに関連付けられる、ＳＹＮＣ時間インデックス、ＳＹＮＣタイムスロットＩＤ又はＳＹＮＣシンボルＩＤ、同期信号（ＳＳ）ブロック時間インデックスなどであってもよい。
【００８３】
共通ＳＹＮＣチャネルコンポーネントは、複数のビームシステム（例えば、シングル及びマルチビームシステム）のために提供されてもよい。ＳＹＮＣバースト構造及びパターンは、マルチビーム動作のために提供されてもよい。手続は、シングル及びマルチビーム配備、並びに関連するビームスイープ手続を可能にし、サポートし得る。
【００８４】
図２〜４は、３つのＳＹＮＣバースト構造の例を示す。
【００８５】
図２は、マルチビームレギュラーＳＹＮＣ信号（ＴＲＰ又はｇＮＢ指向）の例である。ｇＮＢは、（例えば、各）ＳＹＮＣ期間（例えば、ＳＹＮＣ信号バーストセット）を、異なるタイムスロット（若しくはバースト）又は異なるビームが送信され得るシンボルに分割してもよい。ＳＹＮＣ信号バーストセットは、１つ以上のＳＹＮＣ信号バースト又はＳＹＮＣ信号タイムスロットを含んでもよい。ＳＹＮＣ信号バースト（又はタイムスロット）は、１つ以上のＳＹＮＣ信号サブタイムスロット、又は１つ以上のＳＹＮＣ信号シンボルを含んでもよい。ＳＹＮＣ信号サブタイムスロット又はＳＹＮＣ信号シンボルは、ＰＳＳ、ＳＳＳ、及び／又はＰＢＣＨなどの、１つ以上のＳＹＮＣ信号を含んでもよい。ＴＲＰは、送信及び／又は受信ポイントと呼ばれてもよい。
【００８６】
ＳＹＮＣ信号バーストセットは、同期信号（ＳＳ）バーストセットなどであってもよい。ＳＹＮＣバースト又はタイムスロットは、ＳＳバーストなどであってもよい。ＳＹＮＣ信号サブタイムスロット又はＳＹＮＣ信号シンボルは、ＳＳブロックなどであってもよい。ＳＹＮＣ信号サブタイムスロット又はＳＹＮＣ信号シンボル内のＳＹＮＣ信号は、ＰＳＳ、ＳＳＳ、及びＰＢＣＨのうちの少なくとも１つを含んでもよい。各ＳＹＮＣ信号（例えば、ＰＳＳ、ＳＳＳ、及びＰＢＣＨ）は、時間ドメインにおいて少なくとも１つのＯＦＤＭシンボルを占有してもよい。
【００８７】
図３は、マルチビームレギュラーＳＹＮＣ信号（ＷＴＲＵ指向）の例である。ｇＮＢは、ＳＹＮＣ期間（例えば、全体）にわたって（例えば、シングル）ビームを送信してもよく、一方、ＷＴＲＵは、異なるビームを繰り返してもよい。
【００８８】
図４は、マルチビームショートＳＹＮＣ信号の例である。ＳＹＮＣ期間は、減少されてもよく、利用可能ビームのサブセット（例えば、のみ）が、ＷＴＲＵ又はｇＮＢから使用されてもよい。
【００８９】
図２〜４に関して説明される基本ＳＹＮＣバースト構造に基づいて、図５Ａに示されるハイブリッドＳＹＮＣ信号が、定義され得る。例えば、ハイブリッドＳＹＮＣ信号構造は、ＴＲＰ指向ＳＹＮＣバーストが、ＷＴＲＵ指向ＳＹＮＣバーストと時間的に交互に送信されることによって定義されてもよい。いくつかの例では、ＴＲＰ指向とＷＴＲＵ指向ＳＹＮＣバーストとの間の交替は、図５Ａに示されるような１対１でなくてもよい（例えば、２つのＴＲＰ指向、次いで１つのＷＴＲＵ指向、又はその逆など）。他の例では、バーストは、図５Ａに示されるような１対１関係で交替してもよい。
【００９０】
図５Ｂは、シングル及びマルチビーム動作のためのＳＹＮＣ信号構造の例である。図５Ｂは、例えば、図２〜４に示される３つの基本ＳＹＮＣバースト構造に基づく、４つのＳＹＮＣモードの例を示す。
【００９１】
マルチビーム完全ＳＹＮＣ信号（ロング）モードは、ｇＮＢ及びＷＴＲＵにおいて完全ビームスイープを可能にし得る。例では、ｇＮＢは、その利用可能なＭ個のビーム（例えば、その全て）を、逐次的にＮ回繰り返してもよい。Ｎは、別個のＷＴＲＵビームの数であってもよく、Ｍは、別個のｇＮＢビームの数であってもよい。ＷＴＲＵは、例えば、そのＮ個のビームの１つを使用して、ｇＮＢサイクルを受信してもよい。このプロセスは、逆であってもよい。ＷＴＲＵは、その利用可能なＮ個のビームを逐次的にＭ回繰り返してもよい。ＳＹＮＣ信号期間（例えば、完全ＳＹＮＣ信号期間、又はＳＹＮＣ信号バーストセット）は、異なるタイムスロット（例えば、バースト）に分割されてもよく、異なるタイムスロットは、ビーム（例えば、異なるビーム）がそれにおいて送信され得るシンボルを含んでもよい。ＳＹＮＣ信号期間（例えば、ＳＹＮＣ信号バーストセット）は、１つ以上のＳＹＮＣ信号バースト又はタイムスロット（例えば、ＷＴＲＵ  Ｒｘビーム１、．．．、ＮなどのためのＮ個のＳＹＮＣ信号バースト又はタイムスロット）を含んでもよい。ＳＹＮＣ信号バーストは、１つ以上のＳＹＮＣ信号サブタイムスロット又はＳＹＮＣ信号シンボル（例えば、ｇＮＢ  Ｔｘビーム１、２、．．．、ＭなどのためのＭ個のＳＹＮＣ信号サブタイムスロット又はＳＹＮＣ信号シンボル）を含んでもよい。ＳＹＮＣ信号サブタイムスロット及び／又はＳＹＮＣ信号シンボルは、１つ以上のＳＹＮＣ信号（又は、ＯＦＤＭシンボル）を含んでもよい。例えば、ＳＹＮＣ信号サブタイムスロット及び／又はシンボルは、ＰＳＳ、ＳＳＳ、ＰＢＣＨ（及び／若しくは他のＳＳ）、並びに／又は他のブロードキャスト信号及び／若しくはチャネルを含んでもよい。完全ＳＹＮＣ信号バーストセット（例えば、ＳＹＮＣ信号バーストセット）内のＳＹＮＣ信号バースト（又は、タイムスロット）は、時間において隣接又は連続的であってもよい。時間において隣接又は連続的である、完全ＳＹＮＣ信号バーストセット及び／又はＳＹＮＣ信号バーストセット内のＳＹＮＣ信号バーストが、図５Ｂに示されている（マルチビーム完全ＳＹＮＣ信号）。時間において隣接ではなく、又は連続的でもないＳＹＮＣ信号バーストセット内のＳＹＮＣ信号バーストが、図８に示されている。ＳＹＮＣモード（例えば、ｇＮＢ及びＷＴＲＵにおける完全ビームスイープを伴う）が、例えば、ビームペアリングの初期設定又は再設定のために、使用されてもよい。
【００９２】
マルチビームｇＮＢ指向部分ＳＹＮＣ信号タイプ１（ショート）モードは、例えば、ＷＴＲＵのための部分ビームスイープを伴うｇＮＢ指向完全ビームスイープのために使用されてもよい。ｇＮＢは、所与のＷＴＲＵ  ＲＸビームについて完全ＴＸビームスイープを実行してもよい。このプロセスは、利用可能なＷＴＲＵ  ＲＸビームのサブセットについて反復してもよい。図５Ｂは、３つのＲｘビームを使用する例を示す。例えば、ｇＮＢが次のＷＴＲＵ  ＲＸビームに行く前に、その利用可能なビームのうちの１つ以上（例えば、全て）を通して繰り返し得るとすると、ｇＮＢは、このモードにおいて、ビームスイープについてより高い優先度を有し得る。例えば、ｇＮＢがビームスイープについてより高い優先度を有し得るとすると、このモードは、例えば、低レイテンシアプリケーション又は高速ＳＹＮＣ取得の目的で使用され得る。
【００９３】
マルチビームＷＴＲＵ指向部分ＳＹＮＣ信号タイプ２（ショート）モードは、ｇＮＢのための完全ビームスイープ及びＷＴＲＵのための部分ビームスイープを可能にし得る。例えば、ＷＴＲＵが、そのビーム（例えば、利用可能なビームのサブセット）を通して繰り返し得る一方、ｇＮＢが、各ＷＴＲＵサイクルについてそのＭ個のビームのうちの１つ（例えば、のみ）を送信し得るとすると、ＷＴＲＵは、より高い優先度を有してもよい。例えば、ＷＴＲＵがビームスイープについてより高い優先度を有し得るとすると、このモードは、例えば、ｇＮＢ  ＴＸビームについての先験的知識が既知であり得るときに使用されてもよい。ＷＴＲＵは、所望のｇＮＢビーム上で（例えば、のみ）ビームスイープを（例えば、適当な情報を用いて）実行してもよく、それは、処理電力及び遅延を減少させ得る。
【００９４】
例えば、ｇＮＢ及びＷＴＲＵが、シングルビーム（例えば、のみ）を利用し得るときに、シングルビームＳＹＮＣ信号モードが、使用されてもよい。リンクのいずれかの端においては、ビームの繰り返しがなくてもよい。この構造は、例えば、ｇＮＢ及びＷＴＲＵにおけるシングルビーム動作へのフォールバックのために、使用されてもよい。
【００９５】
例えば、ここで説明される４つのＳＹＮＣモードに基づいて、複数の全体的なＳＹＮＣ手続が存在してもよい。例えば、シングルビーム及びマルチビーム動作のための共通フレームワークが、（例えば、図６に示される例に示されるように）実現されてもよい。シングルビームＳＹＮＣ信号及びマルチビームＳＹＮＣ信号が、時間（又は周波数）において交互に送信されてもよい。
【００９６】
（例えば、別の）例では、マルチビーム完全ＳＹＮＣ信号が、マルチビーム部分ＳＹＮＣ信号（例えば、タイプ１又はタイプ２）と時間において交互に送信されてもよい。マルチビーム完全ＳＹＮＣは、例えば、初期設定のために使用されてもよいが、マルチビーム部分ＳＹＮＣは、例えば、トラッキング目的で使用されてもよい。ＷＴＲＵは、初期設定のためのマルチビーム完全ＳＹＮＣの間に、ｇＮＢ  ＴＸビーム＃ｘとＷＴＲＵ  ＲＸビーム＃ｙを（例えば、大まかに）識別してもよい。
【００９７】
ＷＴＲＵは、例えば、マルチビーム部分ＳＹＮＣを使用して、（例えば初期設定以外に）ｇＮＢ  ＴＸビーム及びＷＴＲＵ  ＲＸビームを、例えば、トラッキングし続けてもよい。トラッキング手続の例は、以下のうちの１つ以上を含んでもよい。例えば、（ｉ）ＷＴＲＵは、ＷＴＲＵ  ＲＸビーム＃ｙを使用して、１つ以上（例えば、全ての）ｇＮＢビーム＃１、２、．．．、Ｍをトラッキングし続けてもよい。（ｉｉ）ＷＴＲＵは、ＷＴＲＵ  ＲＸビーム＃ｙ−１、ｙ、及びｙ＋１を使用して、１つ以上（例えば、全ての）ｇＮＢビーム＃１、２、．．．、Ｍをトラッキングし続けてもよい。（ｉｉｉ）ＷＴＲＵは、ＷＴＲＵ  ＲＸビーム＃ｙを使用して、ｇＮＢビーム＃ｘ−１、ｘ、及びｘ＋１をトラッキングし続けてもよい。並びに／又は（ｉｖ）ＷＴＲＵは、ＷＴＲＵ  ＲＸビーム＃ｙ−１、ｙ、及びｙ＋１を使用して、ｇＮＢビーム＃ｘ−１、ｘ、及びｘ＋１をトラッキングし続けてもよい。
【００９８】
階層型ビームスイープ手続は、例えば、異なるＳＹＮＣモードを使用して定義されてもよい。例えば、ｇＮＢがＭ個のビームを使用して所望の空間領域全体をカバーし得るマルチビーム完全ＳＹＮＣモードは、（例えば、その代わりに）Ｍ個未満の（例えば、Ｍ／２個の）ビームで同じ空間領域をカバーし得る。同じ原理が、例えば、Ｎ個未満のビームで同じ空間領域をカバーすることによって、ＷＴＲＵにおいて使用されてもよい。ビーム（例えば、いずれかの場合における）は、より幅広くてもよく、（例えば、したがって）より少ない指向性利得を有してもよい。利得は、例えば、より長い存続期間の間ビームを維持すること、及び／又はＷＴＲＵにおいて検出閾値を低下させることによって、補償されてもよい。このモードは、例えば、ビームペアリングのための初期設定を確立するために使用されてもよい。
【００９９】
階層手続の第２段階は、例えば、マルチビーム部分ＳＹＮＣ信号を使用して、実施されてもよい。例えば、第１段階では、識別される空間領域に含まれ得るＮ（Ｍ）個のビームのサブセット（例えば、のみ）が使用され得る（例えば、必要とされ得る）ため、マルチビーム部分ＳＹＮＣ信号は、第２段階において使用されてもよい。階層手続は、同一の空間領域を探索するために使用される処理全体を減少させてもよく、それによって、時間及びエネルギーが節約され得る。
【０１００】
図６は、シングル及びマルチビーム動作のためのＳＹＮＣ信号の共通フレームワークの例である。
【０１０１】
１つ以上の手続は、どのモード（例えば、シングルビーム又はマルチビーム）が（例えば、シングルビーム及びマルチビームＳＹＮＣについての共通フレームワークのために）使用中であり得るかをＷＴＲＵに示すために使用されてもよい。
【０１０２】
ＳＹＮＣ信号の多様な態様が、ビーム動作モードを示すために使用されてもよい。例では、例えば、ＷＴＲＵが、シングルビームが使用中であるか、又はマルチビームが使用中であるかを（例えば、最初は）知らない可能性があるとすると、ＷＴＲＵは、（例えば、シングルビームＳＹＮＣ及びマルチビームＳＹＮＣが使用中であると仮定して）ＳＹＮＣをブラインド検出してもよい。例えば、一旦ＷＴＲＵがＳＹＮＣを検出すると、手続の多様な特性が、ビーム動作モードを判断するために使用されてもよい。例えば、シングルビームＳＹＮＣのみが存在し、検出されるときに、ＷＴＲＵは、シングルビーム動作モードを宣言してもよい。例えば、マルチビームＳＹＮＣが存在し、検出されるときに、ＷＴＲＵは、（例えば、そうではなく）マルチビーム動作モードを宣言してもよい。
【０１０３】
図７は、シングル及びマルチビーム動作のためのＳＹＮＣ信号生成手続の共通フレームワークの例である。基本ＳＹＮＣ信号が、例えば、図７に示されるように生成されてもよい。ＳＹＮＣシーケンスプロパティが、それに応じて調整されてもよい。ＳＹＮＣシーケンス又はシーケンスの組み合わせが、ビーム配備の関数として選択されてもよい。例では、プロパティＡを有するＳＹＮＣシーケンスは、例えば、それがシングルビーム配備であるときに、選択されてもよい。プロパティＢを有するＳＹＮＣシーケンスは、例えば、それがマルチビーム配備であるときに、選択されてもよい。
【０１０４】
ＷＴＲＵは、例えば、以下の例のうちの１つ以上などの多様な手続を使用して、ＳＹＮＣ動作モード（例えば、シングルビーム又はマルチビーム）を検出してもよい。（ｉ）ＰＳＳ及びＳＳＳのタイミング差のための手続、（ｉｉ）巡回シフトと組み合わされた異なるＰＳＳシーケンスを使用するための手続、並びに／又は（ｉｉｉ）ＳＳＳ１及びＳＳＳ２についてのＸ及びＹコンポーネントの異なる組み合わせ（例えば、ｍシーケンス）のため、若しくはＳＳＳ１及びＳＳＳ２を異なる様式で交換するための手続。
【０１０５】
シングルビームＳＹＮＣ及びマルチビームＳＹＮＣは、例えば、ＰＳＳ及びＳＳＳ時間位置、周波数位置、シーケンス、シーケンスパラメータなどの１つ以上（例えば、組み合わせ）によって、区別されてもよい。例えば、ＳＳＳについての異なる時間オフセットが、例えば、ビーム動作モードを示すために、ＰＳＳに関して使用されてもよい。（例えば、別の）例では、Ｘ及びＹの異なる組み合わせが、ＳＳＳ１及びＳＳＳ２のために使用されてもよい。例えば、２つの組み合わせが、フレーム境界を検出するために使用されてもよく、一方、他の２つの組み合わせが、２つのビーム配備又は動作モードを示すために使用されてもよい。
【０１０６】
図８において、第２のブロック図は、ＳＹＮＣ信号バースト（又はタイムスロット）を含み得る、例としてのＳＹＮＣ信号バーストセットを示す。例えば、第２のブロック図は、Ｎ＝５のＳＹＮＣ信号バーストを含む、例としてのＳＹＮＣ信号バーストセットを示す。ＳＹＮＣ信号バーストは、時間において非連続であってもよく、又は非隣接方式であってもよい。ＳＹＮＣ信号バーストは、１つ以上のＳＹＮＣ信号サブタイムスロット又はＳＹＮＣ信号シンボルを含んでもよい。例えば、ＳＹＮＣ信号バーストは、Ｍ＝３のＳＹＮＣ信号シンボル又はＳＹＮＣ信号サブタイムスロットを含んでもよい。ＳＹＮＣ信号シンボル又はＳＹＮＣ信号サブタイムスロットのうちの１つ（例えば、１つだけ）（例えば、第１のＳＹＮＣ信号シンボル又はＳＹＮＣ信号サブタイムスロット８０１）が、送信されてもよい。ネットワークがシングルビームモードで動作するとき、ＳＹＮＣ信号シンボル又はＳＹＮＣ信号サブタイムスロットのうちの１つ（例えば、１つだけ）（例えば、第１のＳＹＮＣ信号シンボル又はサブタイムスロット８０１）が、送信されてもよい。１つより多くのＳＹＮＣ信号シンボル又はＳＹＮＣ信号サブタイムスロットが、送信されてもよい。ネットワークがマルチビームモードで動作するとき、１つより多くのＳＹＮＣ信号シンボル又はＳＹＮＣ信号サブタイムスロット（例えば、第１のＳＹＮＣ信号シンボル又はＳＹＮＣ信号サブタイムスロット８０１、及び残りのＳＹＮＣ信号シンボル又はＳＹＮＣ信号サブタイムスロット８０２）が、図８の第２のブロック図において示されるように、送信されてもよい。
【０１０７】
図８は、シングル及びマルチビーム動作のためのＳＹＮＣ信号バーストの共通統合型フレームワークの例である。
【０１０８】
異なるマルチビーム動作モードは、複数のＲＦチェーンに対応する同時マルチビーム動作のために使用されてもよい。単一又は複数のＲＦチェーンに対応する異なるビームスイープ信号又はバーストが、例えば、同時マルチビームケイパビリティの最大数に基づいて、判断されてもよい。ビームスイープは、ＰＳＳ及びＳＳＳについて実行されてもよい。
【０１０９】
図９は、シングル及びマルチビーム動作のためのＳＹＮＣ信号検出手続の共通フレームワークの例である。ＳＹＮＣ信号は、例えば、図９に示されるように検出されてもよい。検出されるＳＹＮＣシーケンスプロパティは、チェックされてもよい。ＷＴＲＵは、例えば、ビーム配備の関数に基づいて、ＳＹＮＣシーケンス又はシーケンスの組み合わせを判断してもよい。ＷＴＲＵは、（例えば、正確な）ビーム配備（例えば、シングル又はマルチビーム配備）を判断してもよい。
【０１１０】
図１０に示されるように、１つ以上の同期タイプが、ビームベースシステムにおける動作モードを示すために使用されてもよい。ＷＴＲＵは、１つ以上の同期タイプを検出（例えば、ブラインド検出）してもよい。同期タイプは、ＰＳＳ及びＳＳＳ間の時間／周波数オフセット値、シーケンス、並びに／又は１つ以上のシーケンスパラメータに基づいて判断されてもよい。第１の同期タイプは、シングルビーム動作モードに関連付けられてもよい。第２の同期タイプは、マルチビーム動作モードに関連付けられてもよい。１つ以上の同期タイプが、完全及び／又は部分マルチビーム動作のために使用されてもよい。
【０１１１】
２つのタイプのＳＹＮＣバースト領域が、使用されてもよい。例えば、第１のタイプのＳＹＮＣバースト領域は、Ｔｘビームスイープを伴うＳＹＮＣ信号送信のための１つ以上のビームに基づいてもよい。ＳＹＮＣバースト領域の第２のタイプは、Ｒｘビームスイープを伴うＳＹＮＣ信号のためのシングルビームに基づいてもよい。ＳＹＮＣバースト領域の２つ以上のタイプが、時間ドメインにおいて多重化されてもよい。例えば、２つ以上のタイプのＳＹＮＣバースト領域が、時間ドメインにおいて周期的に多重化されてもよい。
【０１１２】
ここで説明されるように、完全ＳＹＮＣ信号バースト又はＳＹＮＣ信号バーストセットが、ＳＹＮＣ信号バースト又はタイムスロットを含んでもよい。ＳＹＮＣ信号バーストは、図１１に示されるように、異なるビームがその中で送信され得る１つ以上のＳＹＮＣ信号サブタイムスロット又はシンボルを含んでもよい。ＳＹＮＣ信号サブタイムスロット又はシンボルは、ＰＳＳ及び／又はＳＳＳなどの、１つ以上のＳＹＮＣ信号を搬送してもよい。ＳＹＮＣ信号シンボル又はサブタイムスロット内のＳＹＮＣ信号の位置（例えば、相対位置）が、ＳＹＮＣ信号タイプを示してもよい。ＳＹＮＣ信号タイプに基づいて、ビームスイープタイプ及び／又は順序、ＡＣＫリソース構成情報、ＰＢＣＨ動作、ビームホッピングパターンなどが、ＷＴＲＵに示されてもよい。ＷＴＲＵは、以下の、ビームスイープタイプ及び／若しくは順序、ＡＣＫリソース構成情報、並びに／又はＰＢＣＨ動作（例えば、ビームホッピングパターン）のうちの１つ以上を判断するために、ＳＹＮＣ信号タイプを検出してもよい。
【０１１３】
図１２は、ＳＹＮＣ信号タイプを使用してビーム動作モード（例えば、シングル又はマルチビーム）をＷＴＲＵに示す例を示す。例えば、ＳＹＮＣ信号サブタイムスロット又はシンボル内のＳＹＮＣ信号（例えば、ＰＳＳ及び／又はＳＳＳ）が、他の信号に対して周波数ドメインにおいてゼロオフセットを有するとき、シングルビームモードが示され得る。ＳＹＮＣ信号サブタイムスロット又はシンボル内のＳＹＮＣ信号（例えば、ＰＳＳ及び／又はＳＳＳ）が、互いに対して周波数ドメインにおいて非ゼロオフセットを有するとき、マルチビームモードが示され得る。周波数及び／又は時間ドメインにおける非ゼロオフセットの差の値が、情報（例えば、追加情報）を搬送してもよい。
【０１１４】
図１３〜１６は、ＳＹＮＣ信号バースト又はタイムスロットのＳＹＮＣ信号サブタイムスロット又はシンボル内のＳＹＮＣ信号のパターンによる、例としてのＳＹＮＣ信号タイプを示す。図１３〜１４は、異なるオフセット（例えば、ＳＹＮＣ信号バーストのＳＹＮＣ信号サブタイムスロット又はシンボル内のＳＹＮＣ信号間の異なるオフセット）によって特定される異なるパターンに対応する、ＳＹＮＣ信号タイプを示す。図１５〜１６は、ＳＹＮＣ信号バースト又はタイムスロットのＳＹＮＣ信号サブタイムスロット又はシンボル内のＳＹＮＣ信号（例えば、ＳＳＳ及び／又はＰＳＳ）を交換することによって特定される異なるパターンに基づく、ＳＹＮＣ信号タイプを示す。ＷＴＲＵは、ＳＹＮＣ信号バースト又はタイムスロットのＳＹＮＣ信号サブタイムスロット又はシンボル内のＳＹＮＣ信号を検出してもよい。ＷＴＲＵは、マルチビーム動作に関するシステム情報（例えば、対応するシステム情報）を判断してもよい。例えば、ＷＴＲＵが、図１３のようなＳＹＮＣ信号タイプを検出する場合、ＷＴＲＵは、ビームスイープパターン１及び／又はＡＣＫリソース構成１と判断してもよい。ＷＴＲＵが、図１４のようなＳＹＮＣ信号タイプを検出する場合、ＷＴＲＵは、ビームスイープパターン１及びＡＣＫリソース構成２と判断してもよい。ＷＴＲＵが、図１５のようなＳＹＮＣ信号タイプを検出する場合、ＷＴＲＵは、ビームスイープパターン２及びＡＣＫリソース構成１と判断してもよい。ＷＴＲＵが、図１６のようなＳＹＮＣ信号タイプを検出する場合、ＷＴＲＵは、ビームスイープパターン２及びＡＣＫリソース構成２と判断してもよい。
【０１１５】
ＷＴＲＵの実施が、提供されてもよい。例えば、１つ以上の同期タイプが使用されてもよい。ＳＹＮＣ信号タイプは、ＰＳＳ／ＳＳＳ周波数及び／若しくは時間オフセット、シーケンス、シーケンスの組み合わせ、シーケンスパラメータ、並びに／又はシーケンス反復パターンに基づいてもよい。
【０１１６】
ＷＴＲＵは、ここで説明されるような所定の共通統合型ＳＹＮＣ信号バースト構造、及び／又は初期同期中のデフォルトの周期性に基づいて、ＳＹＮＣ信号（例えば、ＳＹＮＣ信号タイプ）を検出及び／又は判断してもよい。
【０１１７】
シングルビーム動作モードが、示されてもよい。例えば、検出されるＳＹＮＣ信号が、第１のＳＹＮＣ信号タイプを含む場合、シングルビーム動作モードが、示されてもよい。後続の初期アクセス実施（例えば、シングルビームに基づく）が、実行されてもよい（例えば、レガシー初期アクセス実施、ＬＴＥライク、ビームスイープなしへフォールバックする）。
【０１１８】
マルチビーム動作モードが、示されてもよい。例えば、検出されるＳＹＮＣ信号が、第２のＳＹＮＣ信号タイプを含む場合、マルチビーム動作モードが、示されてもよい。後続の初期アクセス（例えば、マルチビームに基づく）の実施が、実行されてもよい。例えば、対応するビームスイープタイプ及び／又は順序、ＡＣＫリソース構成情報、ＰＢＣＨ動作、ビームホッピングパターンなどが、実行されてもよい。
【０１１９】
共通ＳＹＮＣ設計が、ＴＤＤ及びＦＤＤに対して提供されてもよい。例では、ＦＤＤ：サブフレーム０及び５におけるＰＳＳ／ＳＳＳ、ＴＤＤ：サブフレーム１及び６におけるＰＳＳ、並びにサブフレーム０及び５におけるＳＳＳである。動的ＴＤＤフレーム構造設計及び動作が、考慮されてもよい。ＦＤＤシステム（例えば、ＦＤＤ  ＬＴＥシステム）の例では、同一のＰＳＳが、（例えば、各）無線フレームの１番目及び１１番目のスロットの最後のＯＦＤＭシンボルに位置してもよい。２つの異なるＳＳＳが、ＰＳＳの（例えば、すぐ）前のシンボルに位置してもよい。ＴＤＤシステム（例えば、ＴＤＤ  ＬＴＥシステム）の例では、同一のＰＳＳが、（例えば、各）無線フレームの３番目及び１３番目のスロットの３番目のシンボルに位置してもよい。２つの異なるＳＳＳが、ＰＳＳより前の３つのシンボルに位置してもよい。
【０１２０】
例えば、チャネルコヒーレンス時間が、１つのＯＦＤＭシンボルよりも大きい可能性があるときに、ＰＳＳに対するＳＳＳのコヒーレント検出が、ＦＤＤシステムにおいて適用されてもよい。例えば、チャネルコヒーレンス時間が、４つのＯＦＤＭシンボルよりも大きい可能性があるときに、ＰＳＳに対するＳＳＳのコヒーレント検出が、ＴＤＤシステムにおいて適用されてもよい。
【０１２１】
ＦＤＤ及びＴＤＤシステムは、例えば、時間ドメインにおいて比較的異なるＰＳＳ及びＳＳＳシンボル位置によって、区別されてもよい。ＰＳＳ及びＳＳＳシンボル位置は、ＬＴＥにおいて同一の周波数ドメインにあってもよい。
【０１２２】
複数のシングルビーム及びマルチビームの例としての配備が、ここに提示されてきた。ＰＳＳ及びＳＳＳの相対位置（例えば、ＦＤＤ及びＴＤＤ分離の目的を除いて）は、シングルビーム又はマルチビーム配備構造の標識を（例えば、また）含んでもよい。ＰＳＳ及びＳＳＳの位置分離は、時間ドメインにあってもよく、又は周波数ドメインにあってもよい。
【０１２３】
（例えば、第１の）例では、時間ドメイン分離が、ＴＤＤ又はＦＤＤを示すために使用されてもよく、一方、周波数ドメイン分離が、シングルビーム又はマルチビーム構造を示すために使用されてもよい。
【０１２４】
図１７Ａは、ＦＤＤシステムのためのＳＹＮＣ信号分離の例である。図１７Ａは、シングルビーム又はマルチビーム送信構造を示すためのＦＤＤシステムについての例を示す。
【０１２５】
図１７Ｂは、ＴＤＤシステムのためのＳＹＮＣ信号分離の例である。図１７Ｂは、シングルビーム又はマルチビーム送信構造を示すためのＴＤＤシステムについての例を示す。
【０１２６】
(例えば、第２の）例では、ＰＳＳ及びＳＳＳの組み合わされた時間及び周波数ドメイン分離は、ＴＤＤ又はＦＤＤ、及びシングルビーム又はマルチビーム構造を示すために使用されてもよい。
【０１２７】
図１８は、混合ＦＤＤ及びＴＤＤシステムのためのＳＹＮＣ信号分離の例である。図１８は、例えば、シングルビーム又はマルチビーム送信構造を示すための混合ＦＤＤ及びＴＤＤシステムについての例を示す。
【０１２８】
周波数ドメイン及び時間ドメインにおけるＰＳＳ及びＳＳＳの異なる相対位置が、例えば、ＦＤＤ／ＴＤＤモード、並びにシングルビーム及びマルチビーム構造を示すために適用されてもよい。例では、ＰＳＳ及びＳＳＳシーケンスは、ＬＴＥの例について使用されるものと同一であってもよい。異なるＰＳＳ及びＳＳＳシーケンスが、例えば、ＦＤＤ／ＴＤＤモード、並びに／又はシングルビーム及びマルチビーム構造を示すために適用されてもよい。
【０１２９】
図１９は、動的ＴＤＤフレーム構造の例である。動的ＴＤＤ方式が、例えば、ＮＲにおいて使用されてもよい。図１９は、動的ＴＤＤの例を示し、ここで、Ｄは、ダウンリンク送信を示してもよく、Ｕは、アップリンク送信を示してもよく、Ｓは、ガード時間に使用されるスペシャルサブフレームを示してもよく、Ｆは、フレキシブルな（例えば、ダウンリンク又はアップリンク）送信を示してもよい。
【０１３０】
３つの異なるＰＳＳ及びＳＳＳ分離距離が、例えば、ＦＤＤ、（レガシー又は固定の）ＴＤＤ、及び動的ＴＤＤ動作を区別するために、適用されてもよい。例では、ＦＤＤモードは、例えば、ＳＳＳがＰＳＳの前のＸ１シンボルであるときに、示され（例えば、暗示され）てもよい。レガシーＴＤＤモードは、例えば、ＳＳＳがＰＳＳの前のＸ２シンボルであるときに、示されてもよい。動的ＴＤＤモードは、例えば、ＳＳＳがＰＳＳの前のＸ３シンボルであるときに、示されてもよい。例では、Ｘ１、Ｘ２、及びＸ３が、３つの異なる値であってもよい。例えば、ＰＳＳに対するＳＳＳのコヒーレント検出が、任意のモードにおいて適用され得るように、値は小さくてもよい。ＳＳＳのブラインド検出は、３つの位置（例えば、全て）において異なるＣＰ長を有する２つ以上の場合を区別するために適用されてもよい。例では、例えば、レガシーＴＤＤモード及び動的ＴＤＤモードが、高い信頼性で分離され得るように、Ｘ１は、セット｛Ｘ１，Ｘ２，Ｘ３｝の中央値であってもよい。
【０１３１】
ＦＤＤ、レガシーＴＤＤ、及び動的ＴＤＤ動作の標識が、周波数ドメインにおけるＰＳＳ及びＳＳＳの相対位置によって提供されてもよく、それは、組み合わせを示すために、ＰＳＳ及びＳＳＳの時間ドメイン及び周波数ドメイン分離を適用しつつ、ＦＤＤ、レガシーＴＤＤ、及び動的ＴＤＤをシングルビーム及びマルチビーム構造と組み合わせることの別の例を提供し得る。
【０１３２】
共通ＳＹＮＣは、混合ヌメロロジーのために提供されてもよい。ＳＹＮＣ信号のためのＳＹＮＣ送信帯域幅は、周波数レンジに従って異なってもよい。ＳＹＮＣ信号のためのＳＹＮＣ送信帯域幅は、（例えば、代替的に）複数の（例えば、全ての）周波数レンジにわたって同一であってもよい。ＳＹＮＣ送信帯域幅は、対応するヌメロロジーに関連付けられてもよい。ＳＹＮＣ送信帯域幅は、例えば、周波数帯域に従って、指定された帯域幅からブラインド検出されてもよい。混合ヌメロロジー（例えば、ＮＲにおける）は、複数のサブキャリアスペーシング値（例えば、１５ｋＨｚ、３０ｋＨｚ、又は６０ｋＨｚ）を所与の帯域内で同時に適用してもよい。これによって、異なるＯＦＤＭシンボル存続期間がもたらされ得る。所与の帯域は、複数のサブ帯域によって分離されてもよい。各サブ帯域におけるサブキャリアスペーシング値は、異なっていてもよい。複数のＳＹＮＣ信号、ＳＹＮＣバースト／タイムスロット、ＳＹＮＣシンボル／サブタイムスロット、又はＳＹＮＣバーストセットが、異なる帯域又はサブ帯域において送信されてもよい。帯域又はサブ帯域は、帯域幅部分（ＢＷＰ）であってもよい。これは、異なるタイプのユーザ又はアプリケーションをサポートし得る。ＳＹＮＣ信号は、混合ヌメロロジーのために提供されてもよい。
【０１３３】
例では、ＳＹＮＣ信号は、サブキャリアスペーシング（例えば、１５ｋＨｚ）で（例えば、単一の）サブ帯域内に（例えば、のみ）配置されてもよい。この後方互換設計は、ＬＴＥデバイスが、ＳＹＮＣ信号を受信することを（例えば、受信することも）可能にし得る。例では、例えば、ＰＳＳ／ＳＳＳ信号（例えば、ＬＴＥのＰＳＳ／ＳＳＳ信号）が、このＳＹＮＣチャネルに適合し得るように、対応するサブ帯域は、１．４ＭＨｚより大きくてもよい。
【０１３４】
ＳＹＮＣ信号の検出は、より大きなサブキャリアスペーシングで実行されてもよい。例えば、より大きなサブキャリアスペーシングでのＳＹＮＣ信号の検出は、より小さなサブキャリアスペーシングを用いるよりも高速であってもよい。ＳＹＮＣ信号の検出は、例えば、より良好な検出性能を達成するために、より大きなサブキャリアスペーシングに基づいてもよい。ＳＹＮＣ信号の検出は、後方互換性がないことを犠牲にして、より大きなサブキャリアスペーシングに基づいてもよい。例えば、ＳＹＮＣ信号の検出は、増加した最小サポート帯域幅（例えば、１．４ＭＨｚよりも大きい）を必要としてもよい。さらに、又は代替的に、１．４ＭＨｚ帯域幅と互換性を有するために、ＳＹＮＣシーケンスの長さが減少されてもよい。例えば、ＳＹＮＣシーケンスの長さは、１５ｋＨｚのサブキャリアスペーシングのためのＳＹＮＣシーケンスの長さの３０ｋＨｚのサブキャリアスペーシングに対する半分に分割されてもよい。ＳＹＮＣシーケンスの長さを減少させることによって、検出性能の劣化がもたらされる可能性がある。ＳＹＮＣ信号のためのサブキャリアスペーシング設計、及び／又はＳＹＮＣシーケンスの長さは、均衡が保たれている。例えば、事前定義された（例えば、最良の）検出性能が達成されるように、ＳＹＮＣ信号のためのサブキャリアスペーシング設計、及び／又はＳＹＮＣシーケンスの長さは、均衡が保たれている。トレードオフは、動作帯域のキャリア周波数に依存し得る。例えば、位相雑音及び／又は周波数オフセットは、キャリア周波数とともに増加し得るため、トレードオフは、動作帯域のキャリア周波数に依存し得る。位相雑音及び／又は周波数オフセットは、ＳＹＮＣ信号の検出に影響を及ぼす可能性がある。
【０１３５】
（例えば、代替の）例では、ＳＹＮＣ信号は、（例えば、各）サブ帯域にそれ自体のサブキャリアスペーシングで配置されてもよい。各サブ帯域についてのＰＳＳ／ＳＳＳシーケンスは、互いに異なっていてもよく、又は各サブ帯域についてのＰＳＳシーケンス及びＳＳＳシーケンスの相対位置が、互いに異なっていてもよい。複数のＳＹＮＣ信号、ＳＹＮＣバースト／タイムスロット、ＳＹＮＣシンボル／サブタイムスロット、又はＳＹＮＣバーストセットが、異なる帯域又はサブ帯域において送信されてもよい。帯域又はサブ帯域は、帯域幅部分（ＢＷＰ）であってもよい。
【０１３６】
図２０は、異なるヌメロロジーを有する異なるサブ帯域のためのＳＹＮＣ信号分離の例である。図２０は、異なるサブ帯域が、異なるＳＹＮＣ信号割り当てを有し得る例を示す。
【０１３７】
ＳＹＮＣは、より大きな帯域幅のために提供されてもよい。例では、システム（例えば、ＬＴＥシステム）が、６ＧＨｚより小さいキャリア周波数上で動作してもよい。この周波数レンジは、混雑している可能性があり、小さな周波数帯が利用可能であり得る。別の例（例えば、ＮＲ）では、キャリア周波数は、１００ＧＨｚまで拡大されてもよく、それは、はるかに大きな帯域幅を提供し得る。
【０１３８】
最小帯域幅（例えば、ＮＲにおいて）は、キャリア周波数に依存し得る。例では、最小帯域幅は、例えば、キャリア周波数が６ＧＨｚより低い可能性があるときに、１．４ＭＨｚであってもよい。最小帯域幅は、例えば、キャリア周波数がｆ１ＧＨｚであり得るときに、Ｘ１ＭＨｚであってもよい。例えば、その場合に、ｆ１＞６かつＸ１＞１．４である。最小帯域幅は、例えば、キャリア周波数がｆ２ＧＨｚであり得るときに、Ｘ２ＭＨｚであってもよい。例えば、その場合に、ｆ２＞ｆ１かつＸ２＞Ｘ１である。
【０１３９】
ＳＹＮＣ信号は、中央の６個のＲＢ（又は６２個のサブキャリア）において（例えば、ＬＴＥでは）送信されてもよい。実施は、１．４ＭＨｚの最小帯域幅と互換性を有してもよい。例では、中央の６個のＲＢは、１．０８ＭＨｚの最小送信帯域幅を占有し得る。ＰＳＳは、長さ６３のＺａｄｏｆｆ−Ｃｈｕシーケンスを使用してもよく、ＳＳＳ（例えば、ＬＴＥのＳＳＳ）は、長さ３１の２つのＭシーケンスの組み合わせを使用してもよい。これは、ＳＹＮＣ信号に割り当てられる６２個のサブキャリアに合致し得る。ＺＣシーケンス用のＤＣコンポーネントは、無視されてもよい。
【０１４０】
ＳＹＮＣ信号は、例えば、より大きな最小帯域幅について、例えば、より高いキャリア周波数において、より大きな送信帯域幅を有してもよい。
【０１４１】
ＬＤＰＢ（low  density  power  boosted）と呼ばれるシーケンスが、使用されてもよい。ＬＤＰＢシーケンスは、ある素数Ｐについて、サイズＰ×（Ｐ−１）のコスタス配列に基づき得る。コスタス配列は、非ゼロ要素を有してもよく、各列において、ｎ＝０、１、．．．Ｐ−２の場合にｆｎ＝ｍｏｄ（αｎ，Ｐ）−１で示される。αは、ガロワ体ＧＦ（Ｐ）の原始根であり得る。例えば、ＬＤＰＢシーケンスは、Ｐ＝７について長さ４２、及び／又はＰ＝１１について長さ１１０であってもよい。原始根は、セルＩＤグループ内のセルＩＤを表すために使用されてもよい。例えば、ＧＦ（７）の１つ以上の（例えば、２つの）原始根が存在してもよい。これは、セルＩＤグループ内の２つのセルＩＤを表すために使用されてもよい。
【０１４２】
図２１は、周波数ドメインにおけるＳＹＮＣ信号の例である。複数のＳＹＮＣ信号、ＳＹＮＣバースト／タイムスロット、ＳＹＮＣシンボル／サブタイムスロット、又はＳＹＮＣバーストセットが、異なるスペクトル、周波数帯域又はサブ帯域において送信されてもよい。スペクトル、帯域又はサブ帯域は、帯域幅部分（ＢＷＰ）であってもよい。
【０１４３】
ＰＳＳ／ＳＳＳ信号は、より大きな帯域幅のために、多様な方法で拡張されてもよい。
【０１４４】
図２２は、拡張を伴う周波数ドメインにおけるＳＹＮＣ信号の例である。例では、６２個のシンボルを有する、同一のＰＳＳ／ＳＳＳシーケンス（例えば、ＬＴＥについて適用され得るような）は、より大きな帯域幅に適用されてもよい。６２個のサブキャリアは、（例えば、依然として）動作帯域の中央に位置し得る。この簡単な拡張の例（例えば、ＬＴＥの例の）が、図２２に示されている。ＰＳＳは、４２個のシンボルのＬＤＰＢシーケンスからであってもよく、その場合に、シンボルは、動作帯域の中央（例えば、４個のＲＢ）に配置され得る。
【０１４５】
図２３は、ＲＢレベルにおける反復を有する周波数ドメイン内のＳＹＮＣ信号の例である。例では、同一のＰＳＳ／ＳＳＳシーケンス（例えば、ＬＴＥについて適用され得るような）が、最小送信帯域幅内に配置されるＰＳＳ／ＳＳＳシーケンスを含む、ＲＢの複数のコピーとともに使用されてもよい。ＰＳＳ／ＳＳＳシーケンスを有する２つの隣接ＲＢは、周波数ドメイン内で互いに接続されてもよく、又はガードバンドは、２つの近隣ＰＳＳ／ＳＳＳシーケンス間で適用されてもよい。ＰＳＳ／ＳＳＳシーケンスを有する２つの隣接ＲＢの誤整列は、例えば、ＰＳＳ／ＳＳＳシーケンスの異なるコピーに異なる電力レベルを印加することによって、回避され得る。例えば、帯域中央におけるＰＳＳ／ＳＳＳシーケンスは、最強電力を有してもよく、ＰＳＳ／ＳＳＳシーケンスのその隣接コピーは、より弱い電力を有し得る。この例が、図２３に示されている。ＰＳＳは、４２個のシンボル（又は４個のＲＢ）のＬＤＰＢシーケンスからであってもよい。ＬＤＰＢシーケンスを有する４個のＲＢの連結が、適用されてもよい。
【０１４６】
図２４は、サブキャリアレベルにおける反復を有する周波数ドメイン内のＳＹＮＣ信号の例である。例では、ＰＳＳ／ＳＳＳ信号の反復が、サブキャリアレベルにあってもよい。１つのコピーからのＰＳＳ／ＳＳＳシンボルは、別のコピーからのＰＳＳ／ＳＳＳシンボルの隣のサブキャリアにあってもよい。この例が、図２４に示されている。これは、ＰＳＳ／ＳＳＳシーケンスそれ自体の単純な反復と考えられてもよい。例えば、元のＰＳＳ又はＳＳＳシーケンスは、Ｐ１、．．．、Ｐ６２であってもよい。ＰＳＳ又はＳＳＳシーケンスを有するサブキャリアは、シンボルＰ１、．．．、Ｐ６２、Ｐ１、．．．、Ｐ６２、Ｐ１、．．．、Ｐ６２、．．．．．．を有してもよい。ＰＳＳは、４２個のシンボルのＬＤＰＢシーケンスからであってもよい。元のＬＤＰＢシーケンスが、Ｐ１、．．．、Ｐ４２である場合、ＰＳＳシーケンスを有するサブキャリアは、シンボルＰ１、．．．、Ｐ４２、Ｐ１、．．．、Ｐ４２、Ｐ１、．．．、Ｐ４２、．．．．．．を有してもよい。
【０１４７】
例では、ＰＳＳ／ＳＳＳシーケンスのコピー内のｉ番目のシンボルが、ＰＳＳ／ＳＳＳシーケンスの別のコピー内のｉ番目のシンボルに接続され得るように、ＰＳＳ／ＳＳＳシーケンスは、反復されてもよい。元のＰＳＳ又はＳＳＳシーケンスは、Ｐ１、．．．、Ｐ６２であってもよい。ＰＳＳ又はＳＳＳシーケンスを有するサブキャリアは、シンボルＰ１、．．．、Ｐ１、Ｐ２、．．．、Ｐ２、．．．．．．、Ｐ６２、．．．、Ｐ６２を有してもよい。ＰＳＳは、４２個のシンボルのＬＤＰＢシーケンスからであってもよい。元のＬＤＰＢシーケンスが、Ｐ１、．．．、Ｐ４２である場合、この方式におけるＰＳＳシーケンスを有するサブキャリアは、シンボルＰ１、．．．、Ｐ１、Ｐ２、．．．、Ｐ２、．．．．．．Ｐ４２、．．．、Ｐ４２を有してもよい。
【０１４８】
例では、Ｚａｄｏｆｆ−Ｃｈｕ（ＺＣ）シーケンス長は、ＰＳＳ信号のために拡張されてもよい。奇数長ＮｚｃのＺＣシーケンスは、
【０１４９】
【数１】
2019537289.tif 000003
【０１５０】
によって与えられてもよく、ここで、ｑ∈｛１，．．．Ｎｚｃ｝は、ＺＣシーケンスのルートインデックスであってもよく、ｎ＝０、１、．．．、Ｎｚｃ−１であり、ｌは、整数であってもよい。例（例えば、ＬＴＥについての）では、Ｎｚｃ＝６３、ｌ＝０、ｑ＝２５、２９、３４である。
【０１５１】
Ｎｚｃのサイズは、例えば、（例えば、ＮＲにおける）ＳＹＮＣ信号帯域幅が大きくなるにつれて増加してもよい。ｑ値の数は、増加してもよく、それは、ＳＹＮＣチャネルのキャパシティを増加させ得る。例では、例えば、ＳＹＮＣ信号帯域幅が、２５６個のサブキャリアよりも大きい可能性があるときに、選択は、Ｎｚｃ＝２５１（例えば、素数）であってもよい。これは、例えば、ＺＣシーケンスルートの３つ以上の選択肢を提供し得る。
【０１５２】
例では、Ｑ個のシーケンスルートがあってもよく、それは、ｌｏｇ２Ｑビット情報を搬送し得る。ＰＳＳ信号は、（例えば、セルグループ内のセルＩＤの元のＬＴＥシステム情報を除いた）ビーム情報、例えば、マルチビーム完全ＳＹＮＣ信号、マルチビーム部分ＳＹＮＣタイプ１、マルチビーム部分ＳＹＮＣタイプ２、シングルビームＳＹＮＣなどを搬送してもよい。ｑ１、ｑ２、．．．ｑＱが、ＺＣシーケンスルートのＱ個の可能な値であり得る例では、（ｉ）ｑ１、ｑ２、ｑ３は、セルグループ内のセルＩＤ１、２、３及びシングルビームＳＹＮＣ信号を示してもよく、（ｉｉ）ｑ４、ｑ５、ｑ６は、セルグループ内のセルＩＤ１、２、３及びマルチビーム完全ＳＹＮＣ信号を示してもよく、（ｉｉｉ）ｑ７、ｑ８、ｑ９は、セルグループ内のセルＩＤ１、２、３及びマルチビーム部分ＳＹＮＣタイプ１を示してもよく、（ｉｖ）ｑ１０、ｑ１１、ｑ１２は、セルグループ内のセルＩＤ１、２、３及びマルチビーム部分ＳＹＮＣタイプ２を示してもよい。ＲＡＣＨ関連構成情報及び／又は他の重要なシステム情報が、ＰＳＳ信号において搬送されてもよい。
【０１５３】
図２５Ａは、増大したＺＣシーケンスを有する周波数ドメイン内のＳＹＮＣ信号の例である。図２５Ａは、ＺＣシーケンスが６３よりも大きな長さを有する例を示す。
【０１５４】
同一のシーケンス拡張方式（例えば、６３よりも大きな長さを有するＺＣシーケンス）が、ＬＤＰＢシーケンスに適用されてもよい。例えば、素数Ｐは、帯域幅に合致するように選択されてもよい。ＧＦ（Ｐ）における原始根の数は、増加してもよい。例えば、素数Ｐの増加とともに、ＧＦ（Ｐ）における原始根の数は、増加してもよい。ＧＦ（Ｐ）における原始根の数は、オイラーのトーシェント関数の均等増加に起因して、増加してもよい。原始根は、セルＩＤ情報及び／又はビーム情報を搬送してもよい。例えば、ＧＦ（２３）における原始根の数は、１０であってもよい。根１０（例えば、別個の根）は、セルＩＤ及び／又はビーム情報を示すために使用されてもよい。例えば、第１の３つの根は、（セルグループ内の）セルＩＤ１、２、３、及び／又はシングルビームＳＹＮＣ信号を示してもよい。次の３つの根は、セルＩＤ１、２、３、及び／又はマルチビーム完全ＳＹＮＣ信号などを示してもよい。
【０１５５】
上述のように、ＳＹＮＣ信号（例えば、反復されるＳＹＮＣ信号）は、近接して配置されてもよい。ＳＹＮＣ信号（例えば、反復されるＳＹＮＣ信号）は、近接して配置されなくともよい。例えば、図２５Ｂに示すように、ＲＢレベルにおける反復の場合、反復されるＳＹＮＣの分離は、Ｘ個のＲＢであってもよい。Ｘの値は、ビーム情報を示すために使用されてもよい。例えば、Ｘ＝１は、シングルビームＳＹＮＣ信号を示してもよく、Ｘ＝２は、マルチビーム部分ＳＹＮＣタイプ１を示してもよく、Ｘ＝３は、マルチビーム部分ＳＹＮＣタイプ２を示してもよく、Ｘ＝４は、マルチビーム完全ＳＹＮＣを示してもよい、などである。図２５Ｃに示されるように、上記方式は、サブキャリアレベルにおける反復の場合に適用されてもよい。上記方式は、ＺＣシーケンス及び／又はＬＤＰＢシーケンスに適用されてもよい。
【０１５６】
ここで説明されるように、ＺＣ及び／又はＬＤＰＢシーケンス（例えば、同一のＺＣ及び／又はＬＤＰＢシーケンス）が反復されてもよい。ＺＣ及び／又はＬＤＰＢシーケンスのシフトされたバージョンが使用されてもよい。例えば、同一のＺＣ及び／又はＬＤＰＢシーケンスよりもむしろ、ＺＣ及び／又はＬＤＰＢシーケンスのシフトされたバージョンが、ＲＢレベルにおいて、及び／又はサブキャリアレベルにおいて使用されてもよい。シフトされた値は、ビーム情報を搬送してもよい。例えば、元のＺＣシーケンスがＰ１、．．．、Ｐ６２であり、３つのＺＣシーケンスが、近接して連結される場合、ＳＹＮＣ信号の配置は、
【０１５７】
［Ｐ５，．．．，Ｐ６２，Ｐ１，Ｐ２，Ｐ３，Ｐ４，    Ｐ１，．．．，Ｐ６２    Ｐ５，．．．，Ｐ６２，Ｐ１，Ｐ２，Ｐ３，Ｐ４］
【０１５８】
又は
【０１５９】
［Ｐ１，．．．，Ｐ６２，  Ｐ５，．．．，Ｐ６２，Ｐ１，Ｐ２，Ｐ３，Ｐ４，  Ｐ１０，．．．，Ｐ６２，Ｐ１，．．．，Ｐ９］であってもよい。
【０１６０】
ＺＣシーケンス及び／又はＬＤＰＢシーケンスが、使用されてもよい（例えば、共同で使用されてもよい）。図２５Ｄは、ＺＣシーケンス及びＬＤＰＢシーケンスの混合利用の例を示す。例えば、図２５Ｄは、ＲＢレベルにおけるＺＣシーケンス及びＬＤＰＢシーケンスの混合利用の例を示す。中央のＺＣシーケンスは、Ｘ個のＲＢの分離を有する２つ以上のＬＤＰＢシーケンスによって囲まれてもよい。例えば、中央のＺＣシーケンスは、ビーム情報を搬送するために、Ｘ個のＲＢの分離を有する２つ以上のＬＤＰＢシーケンスによって囲まれてもよい。方式（例えば、同一の方式）が、図２５Ｃのように、サブキャリアレベルに適用されてもよい。
【０１６１】
ｍシーケンスの値ｍは、（例えば、また、）例えば、大きなＳＹＮＣ信号帯域幅のために、ＳＳＳについて拡張されてもよい。例としてのシステム（例えば、ＬＴＥ）は、ＳＳＳのための２つの長さ３１のバイナリシーケンスのインタリーブ連結を使用してもよい。ＳＳＳのために使用されるサブキャリア全体の数は、（例えば、また）、６２であってもよい。これらの長さ３１のバイナリシーケンスは、例えば、長さ３１のｍシーケンスに基づいて、生成されてもよい。ｍシーケンスの異なるシフトのための使用であり得る、ｍ０、ｍ１の値の１６８個の組み合わせが存在してもよく、ここで、０≦ｍ０，ｍ１≦３０＝ｍ−１である。これは、１６８個の有効セルグループＩＤを示し得る。
【０１６２】
ｍ’＞ｍのｍ’シーケンスを使用し得る例では、ＳＳＳ信号は、２ｍ’個のサブキャリアを占有し得る（例えば、同一のインタリーブされた連結動作を適用して）。ｍ’値は、例えば、利用可能なＳＹＮＣチャネル帯域幅に基づいて逆に構成されてもよい。ＰＳＳ及びＳＳＳは、同一数のサブキャリアを占有してもよく、それは、２ｍ’＝Ｎｚｃ−１をもたらし得る。
【０１６３】
ｍからのｍ’の増加は、ｍ０、ｍ１の値のより多くの組み合わせをもたらし得る。ここで、０≦ｍ０，ｍ１≦ｍ’−１である。それは、ｍ’シーケンスの異なるシフトに使用されてもよい。これは、１６８よりも多くの有効セルグループＩＤの情報を搬送し得る。ＳＳＳ信号において搬送される追加情報は、ビーム情報、例えば、マルチビーム完全ＳＹＮＣ信号、マルチビーム部分ＳＹＮＣタイプ１、マルチビーム部分ＳＹＮＣタイプ２、シングルビームＳＹＮＣなどであってもよい。ＲＡＣＨ関連構成情報又は他の重要なシステム情報が、ＳＳＳ信号において搬送されてもよい。
【０１６４】
Ｍシーケンス（例えば、元のＭシーケンス）が、セルＩＤグループによってスクランブルされてもよい。ここで説明されるように、ＳＳＳ（例えば、ＬＴＥのＳＳＳ）は、長さ３１の１つ以上のＭシーケンス（例えば、２つのＭシーケンスの組み合わせ）を使用してもよい。長さ３１のＭシーケンス（例えば、長さ３１の２つのＭシーケンス）は、ＳＳシーケンス（例えば、単一の長いＳＳＳシーケンス）を作成するためにインタリーブされてもよい。ｄ（２ｎ）及びｄ（２ｎ＋１）は、２つのＭシーケンスを参照し得る。ｄ（２ｎ）及びｄ（２ｎ＋１）は、例えば、以下のように定義され得る。
【０１６５】
【数２】
2019537289.tif 000004
【０１６６】
ここで、（ｓ０，ｓ１）、（ｃ０，ｃ１）、（ｚ０，ｚ１）は、セルＩＤグループに依存するシフト値を有する異なる巡回シフトされたｍシーケンスであってもよい。このようなスクランブル動作は、セルＩＤグループに基づくスクランブル無しに行われてもよい。
【０１６７】
より小さな帯域幅のためのＳＹＮＣ設計が、提供されてもよい。
【０１６８】
ここで説明されるように、最小帯域幅は、増加されてもよい。例えば、システム帯域幅（例えば、最小システム帯域幅）は、１．４ＭＨｚ未満であってもよい。ＰＳＳ及び／又はＳＳＳシーケンスの長さは、減少されてもよい（例えば、減少される必要があってもよい）。より短い長さのＺＣシーケンス（即ち、より小さなＮｚｃ値）が、使用されてもよく、及び／又はより短い長さのＬＤＰＢシーケンス（即ち、より小さな素数Ｐ値）が使用されてもよい。既存のＺＣシーケンス及び／又はＬＤＰＢシーケンスが、切り詰められてもよい。例えば、元のＺＣシーケンスが、Ｐ１、．．．、Ｐ６２である場合、短縮されたＺＣシーケンスは、Ｐ５、Ｐ６、．．．、Ｐ５８であってもよい（例えば、元のＺＣシーケンスは、両端から等しく切り詰められるといったように、切り詰められてもよい）。
【０１６９】
ＳＹＮＣ送信及び受信は、単一及び複数のＴＲＰのために提供されてもよい。ＳＹＮＣ信号は、（例えば、ＮＲ）セルＩＤを検出するために使用されてもよい。（例えば、ＮＲ）セルは、１つ又は複数のＴＲＰに対応してもよい。セルの初期時間／周波数同期は、（例えば、ＮＲ）ＳＹＮＣ信号によって取得され得る１つ以上のＴＲＰで構成されてもよい。複数のＴＲＰ配備が、提供されてもよい。ＴＲＰは、同一セルに属してもよく、同一セルＩＤを共有してもよい。ＳＹＮＣ信号手続は、複数のＴＲＰ配備シナリオをハンドリングしてもよい。
【０１７０】
図２６は、信号ＳＹＮＣビームを伴う複数のＴＲＰの配備の例である。複数ＴＲＰ環境の例では、ＴＲＰのカバレッジは、オーバラップされてもよい。図２６は、複数ＴＲＰ配備の例を示し、その場合に、複数ＴＲＰのそれぞれが、シングルＳＹＮＣビームで配備されてもよい。ＷＴＲＵは、それらが同一セルに属し得るときに、複数のＴＲＰから同一のＳＹＮＣ信号を受信してもよい。ＷＴＲＵは、例えば、より良好な同期性能を達成するために、その受信されたＳＹＮＣ信号を結合してもよい。ＷＴＲＵは、例えば、ＣＰ長が、これらのＴＲＰからの信号受信の最大時間差よりも大きい可能性があるときに、ＳＹＮＣ信号を結合してもよい。ＣＰ長は、拡張されたＣＰ長など、十分大きくなるように設定されるべきである。
【０１７１】
図２７は、同期送信を伴う複数のＳＹＮＣビームを有する複数のＴＲＰの配備の例である。例えば、ＴＲＰが、複数のビームを有し得るときに、ＴＲＰ間の協調が適用されてもよい。
【０１７２】
第１のタイプの協調の例は、例えば、共通領域をカバーするために、あるビームの同期送信を協調させることであってもよい。図２７は、それぞれが４つのＳＹＮＣビームを有する２つのＴＲＰの例を示す。ＴＲＰ１からのＳＹＮＣビーム１及びＴＲＰ２からのＳＹＮＣビーム１は、類似の領域に向けられてもよい。ＴＲＰ１からのＳＹＮＣビーム２及びＴＲＰ２からのＳＹＮＣビーム２は、別の類似の領域に向けられてもよい。ＴＲＰ１及びＴＲＰ２は、例えば、これらの共通領域内でＳＹＮＣ信号を強化するために、それらのＳＹＮＣビーム送信に対して同期してもよい。例では、両方のＴＲＰからのＳＹＮＣビーム１及びＳＹＮＣビーム２が、例えば、マルチビーム完全ＳＹＮＣ信号又はマルチビーム部分ＳＹＮＣ信号タイプ１について、同時に送信されるように、ＴＲＰ１及びＴＲＰ２は、それらのＳＹＮＣビーム送信の順序を配列してもよい。この例が、図２８に示されている。マルチビーム部分ＳＹＮＣ信号タイプ２のための類似の同期送信が、図２９に示されている。
【０１７３】
図２８は、マルチビーム完全ＳＹＮＣ信号又はマルチビーム部分ＳＹＮＣ信号タイプ１のための共同送信の例である。
【０１７４】
図２９は、マルチビーム部分ＳＹＮＣ信号タイプ２のための共同送信の例である。
【０１７５】
第１のタイプの協調の例は、あるオーバラップ領域内でＳＹＮＣ信号を拡張してもよい。第２のタイプの協調の例は、各ＴＲＰによるＳＹＮＣビームの数を減少させてもよい。例としての配備（例えば、図２７に示されるような）では、例えば、ＴＲＰ１のビーム１又はＴＲＰ２のビーム１が、共通領域をカバーし得るため、ＴＲＰ１又はＴＲＰ２は、対応するＳＹＮＣビームを送信してもよい。同様に、ＴＲＰ１又はＴＲＰ２は、共通領域をカバーするように、それらのそれぞれのビーム２を送信してもよい。これは、例えば、前述の同期送信方式と比較して、代替送信方式と呼ばれ得る。
【０１７６】
ＳＹＮＣ信号カバレッジの負荷を共有することは、空間ドメインにおいて起こり得る。例では、例えば、この領域が、ＴＲＰ２からのＳＹＮＣビーム２によってカバーされ得る（例えば、カバーされる）とき、ＴＲＰ１は、ＳＹＮＣビーム２を送信しなくともよい。同様に、例えば、この領域が、ＴＲＰ１からのＳＹＮＣビーム１によってカバーされ得るとき、ＴＲＰ２は、ＳＹＮＣビーム１を送信しなくともよい。これは、図３０において例として示され、対応するビーム送信スケジュールが図３１（例えば、マルチビーム完全ＳＹＮＣ信号又はマルチビーム部分ＳＹＮＣ信号タイプ１について）及び図３２（例えば、マルチビーム部分ＳＹＮＣ信号タイプ２について）における例によって示される。
【０１７７】
図３０は、空間ドメインにおける複数のＳＹＮＣビーム及び代替送信を伴う複数のＴＲＰの配備の例である。
【０１７８】
図３１は、マルチビーム完全ＳＹＮＣ信号又はマルチビーム部分ＳＹＮＣ信号タイプ１についての空間ドメイン共有の例である。
【０１７９】
図３２は、マルチビーム部分ＳＹＮＣ信号タイプ２についての空間ドメイン共有の例である。
【０１８０】
ＳＹＮＣ信号カバレッジの負荷を共有することは、時間ドメインにおいて（例えば、おいても）起こり得る。例では、ＴＲＰ１は、ある時間ピリオドにおいてそのＳＹＮＣビームのうちの複数（例えば、全て）を送信してもよく、一方、ＴＲＰ２は、そのＳＹＮＣビーム１及びＳＹＮＣビーム２の送信を、例えば、それらがＴＲＰ１によってカバーされ得るため、スキップしてもよい。ＴＲＰ２は、（例えば、別の時間ピリオドにおいて、）そのＳＹＮＣビームのうちの複数（例えば、全て）を送信してもよく、一方、ＴＲＰ１は、そのＳＹＮＣビーム１及びＳＹＮＣビーム２の送信を、例えば、それらがＴＲＰ２によってカバーされ得るため、スキップしてもよい。
【０１８１】
図３３は、時間ドメインにおける複数のＳＹＮＣビーム及び代替送信を伴う複数のＴＲＰの配備の例である。
【０１８２】
時間ドメインにおける代替カバレッジ及び空間ドメインにおける代替カバレッジは、より大きなダイバーシティを提供するために、結合又は混合されてもよい。
【０１８３】
ＴＲＰ１及びＴＲＰ２は、例えば、１つ以上の同期送信方式及び／又は代替送信方式のサポートにおいて、それらのビームカバレッジがオーバラップするという知識を有してもよい（例えば、有しなければならない）。この知識は、例えば、ＴＲＰ配備段階において事前構成されてもよい。この知識は、例えば、ＴＲＰ間の通信によって、及び／又はＳＹＮＣ信号に対するＷＴＲＵフィードバックを用いて、動的に取得されてもよい。
【０１８４】
図３４は、ＴＲＰがそれらのＳＹＮＣビームオーバラップの知識を得るための手続の例である。ＷＴＲＵは、この知識を取得するために、例としての手続におけるサポートを提供してもよい。
【０１８５】
ＴＲＰ１及びＴＲＰ２は、（例えば、最初は）それらのＳＹＮＣ信号を協調なしに送信してもよい。
【０１８６】
ＴＲＰ１及びＴＲＰ２の共通カバレッジ領域内のＷＴＲＵは、両方のＴＲＰからのＳＹＮＣビームを測定してもよい。異なる時間において、異なるＡｏＡ及びＺｏＡで測定が発生してもよい。
【０１８７】
ＴＲＰ１／ＴＲＰ２が、ＳＹＮＣビーム測定要求をＷＴＲＵに送信して、ＷＴＲＵの位置におけるビームカバレッジ情報を収集してもよい。
【０１８８】
ＷＴＲＵは、その測定されたＳＹＮＣビームの（例えば、詳細な）情報をＴＲＰ１／ＴＲＰ２に送信してもよい。
【０１８９】
ＴＲＰ１及びＴＲＰ２は、（例えば、受信したＳＹＮＣビーム情報に基づいて、）それらのビーム送信方式を協調させようと試みてもよい。例では、結果が、同期ＳＹＮＣビーム送信であってもよく、又は代替（例えば、交互の）ＳＹＮＣビーム送信であってもよい。ＴＲＰ１及びＴＲＰ２は、共通カバレッジ領域に向けたそれらのそれぞれのＳＹＮＣビームが同時に送信され得るように、（例えば、同期ＳＹＮＣビーム送信のために）それらのＳＹＮＣビーム送信を調整してもよい。ＴＲＰ１又はＴＲＰ２は、（例えば、代替ＳＹＮＣビーム送信のために）ある時間ピリオドにおいて共通カバレッジ領域又は方向に向けたＳＹＮＣビームを送信するのを停止してもよい。
【０１９０】
例では、２つのＴＲＰについて論じているが、ここで論じられる主題（例えば、方式）は、２つよりも多くのＴＲＰに拡張されてもよい。ＴＲＰは、１つ以上のＳＹＮＣバースト構造（例えば、ＴＲＰ又はＵＥ指向構造、ハイブリッド構造、階層構造など）を使用してもよい。アンカーセル及び／又はキャリアは、ＳＹＮＣバースト構造を支援し、及び／又は構成してもよい。例えば、アンカーセル及び／又はキャリアは、ＴＲＰがシステム性能を最適化し、及び／又は１つ以上のアプリケーション／シナリオ（例えば、レイテンシ）を処理するために、ＳＹＮＣバースト構造を支援し、及び／又は構成してもよい。例えば、アンカーセル及び／又はキャリアは、ハイブリッド及び／又は階層ＳＹＮＣ動作などのＳＹＮＣ動作を支援し、及び／又は構成してもよい。
【０１９１】
ハイブリッドＳＹＮＣ動作が、提供されてもよい。
【０１９２】
ここで説明されるように、ＳＹＮＣバースト構造及び／又はパターンは、マルチビーム同期のために利用されてもよい。構造は、ＴＲＰ指向及び／又はＷＴＲＵ指向であってもよい。ＴＲＰ指向の場合、ＬＴＸビーム方向は、ＳＹＮＣバースト中に送信（例えば、逐次的に送信）されてもよい。同期を実行するために、ＷＴＲＵは、ＳＹＮＣバースト中にＬＲＸビーム方向のうちの１つ以上から受信してもよい。スイープの繰り返しは、図３５に示されるように、完了するのにＬＲＸＳＹＮＣピリオドかかり得る。ＷＴＲＵ指向の場合、ＷＴＲＵは、ＳＹＮＣバースト時間の間にＬＲＸビーム方向のうちの１つ以上から受信（例えば、逐次的に受信）してもよい。同期は、ＴＲＰがＳＹＮＣバースト中にＬＴＸビーム方向から送信することで実行されてもよい。例えば、同期は、ＴＲＰがＳＹＮＣバースト中にＬＴＸビーム方向から送信することで実行されてもよく、それによって、スイープ繰り返し（例えば、単一スイープの繰り返し）が完了するのにＬＴＸＳＹＮＣピリオドかかり得る。この構成の例が、図３６に示されている。
【０１９３】
ハイブリッドＴＲＰ／ＷＴＲＵ指向構造が、利用されてもよい。例えば、ハイブリッドＴＲＰ／ＷＴＲＵ指向構造は、同期を実行する（例えば、実行するのに必要とされる）時間を減少させるために利用されてもよい。ＴＲＰは、ＳＹＮＣバーストにおいてワイド及び／又はナロービームを送信してもよい。ワイドビームが送信される場合、ナロービームのセット（例えば、対応するセット）が送信されてもよい。ナロービームは、ワイドビームとともに空間的に包含されてもよい。ハイブリッド手法では、ＷＴＲＵは、１つ以上の（例えば、２つの）探索段階を利用してもよい。例えば、第１段階では、ＷＴＲＵは、ＳＹＮＣバースト中に、及び１つ以上のＴＲＰワイドビームについて、ＬＲＸビーム方向のうちの１つ以上から逐次的に受信してもよい。ＳＹＮＣバースト時間は、第１段階において完了してもよい。例えば、第１段階は、完了するのにＳＹＮＣバースト時間かかってもよい（例えば、必要であってもよい）。第２段階の間、ＷＴＲＵは、第１段階から検出されたＲｘビームを使用して（例えば、Ｒｘビームだけを使用して）受信してもよい。第２段階は、セル中央にあり得るＷＴＲＵについては使用されなくともよい（必要とされなくともよい）。検出されたＴＲＰワイドビームに対応するＴＲＰナロービームが送信されているときに、ＷＴＲＵは、時間ピリオドの間（例えば、のみ）受信してもよい。第２段階は、完了するために１つ以上のＳＹＮＣバースト時間を使用してもよい（例えば、必要としてもよい）。ハイブリッドＳＹＮＣ動作のレイテンシは、非ハイブリッド動作のレイテンシよりも少なくてもよい。ＴＲＰがシングルワイドビームを使用する例が、図３７に示されている。
【０１９４】
ビームフォーミングセルラ通信ネットワークと同期するためのワイヤレス送信／受信ユニット（ＷＴＲＵ）は、ＷＴＲＵにおいて、それぞれが複数のシンボルを含む複数のＳＹＮＣバーストを含むＳＹＮＣバーストセットを、ビームフォーミングセルラ通信ネットワークからビーム内において受信し、ＳＹＮＣバーストセットから、ＷＴＲＵがビームフォーミングセルラ通信ネットワークと同期するための同期パラメータを判断するように構成されるプロセッサを含んでもよい。
【０１９５】
ＷＴＲＵプロセッサは、ビームフォーミングセルラ通信ネットワークによって方向付けられるマルチビームＳＹＮＣ信号、ＷＴＲＵによって方向付けられるマルチビーム同期スケジュール、マルチビームショートＳＹＮＣ信号、並びにビームフォーミングセルラ通信ネットワーク及びＷＴＲＵに基づいて方向付けられるハイブリッドＳＹＮＣ構造のうちの１つを使用して、ＳＹＮＣバーストセットを受信するように構成されてもよい。
【０１９６】
同期パラメータは、ＳＹＮＣ信号タイプ、ビームスイープタイプ、ビームスイープ順序、ＡＣＫリソース構成、及びビームホッピングパターンのうちの１つ以上を含んでもよい。
【０１９７】
ＷＴＲＵプロセッサは、ＳＹＮＣバーストセットを受信するためにビームスイープを実行するように構成されてもよい。ビームスイープは、部分ビームスイープを含んでもよく、ＷＴＲＵプロセッサは、ビームフォーミングセルラ通信ネットワークによって送信されるあるビームに対して部分ビームスイープを行うことを判断するように構成されてもよい。
【０１９８】
ＷＴＲＵプロセッサは、第１のビームスイープを実行し、ＷＴＲＵとビームフォーミングセルラ通信ネットワークとの間の第１のビームペアリングを判断し、第１のビームペアリングで第２のビームスイープを実行するように構成されてもよい。
【０１９９】
ＷＴＲＵプロセッサは、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断するように構成されてもよい。
【０２００】
ＳＹＮＣ動作モードは、シングルビーム動作モード、マルチビーム動作モード、及び部分マルチビーム動作モードのうちの１つを含んでもよい。
【０２０１】
ＷＴＲＵをビームフォーミングセルラ通信ネットワークと同期させることは、ＷＴＲＵにおいて、それぞれが複数のシンボルを含む複数のＳＹＮＣバーストを含むＳＹＮＣバーストセットを、ビームフォーミングセルラ通信ネットワークからビーム内において受信することと、ＳＹＮＣバーストセットから、ＷＴＲＵがビームフォーミングセルラ通信ネットワークと同期するための同期パラメータを判断することと、を含んでもよい。
【０２０２】
ＷＴＲＵをビームフォーミングセルラ通信ネットワークと同期させることは、ビームフォーミングセルラ通信ネットワークによって方向付けられるマルチビームＳＹＮＣ信号、ＷＴＲＵによって方向付けられるマルチビーム同期スケジュール、マルチビームショートＳＹＮＣ信号、並びにビームフォーミングセルラ通信ネットワーク及びＷＴＲＵに基づいて方向付けられるハイブリッドＳＹＮＣ構造のうちの１つを使用して、ＳＹＮＣバーストセットを受信することを含んでもよい。
【０２０３】
ＷＴＲＵをビームフォーミングセルラ通信ネットワークと同期させることは、ＷＴＲＵが、ＳＹＮＣバーストセットを受信するためにビームスイープを実行することを含んでもよい。ビームスイープは、部分ビームスイープを含んでもよい。ＷＴＲＵは、ビームフォーミングセルラ通信ネットワークによって送信されるあるビームに対して部分ビームスイープを行うことを判断してもよい。
【０２０４】
ＷＴＲＵをビームフォーミングセルラ通信ネットワークと同期させることは、第１のビームスイープを実行することと、ＷＴＲＵとビームフォーミングセルラ通信ネットワークとの間の第１のビームペアリングを判断することと、第１のビームペアリングで第２のビームスイープを実行することと、を含んでもよい。
【０２０５】
ＷＴＲＵをビームフォーミングセルラ通信ネットワークと同期させることは、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断することを含んでもよい。
【０２０６】
ＷＴＲＵプロセッサは、ＳＹＮＣバーストセットを受信するためにビームスイープを実行するように構成されてもよい。ビームスイープは、完全ビームスイープ又は部分ビームスイープであってもよい。ＷＴＲＵプロセッサは、ビームフォーミングセルラ通信ネットワークによって送信されるあるビームに対して部分ビームスイープを行うことを判断するように構成されてもよい。ＳＹＮＣバーストセットは、完全ビームスイープにおいて通信ネットワークからＷＴＲＵに送信されてもよい。
【０２０７】
ＳＹＮＣバーストセットは、ビームフォーミングセルラ通信ネットワークのサブ周波数帯域内でＷＴＲＵによって受信されてもよい。ＳＹＮＣバーストセットは、ＰＳＳ及びＳＳＳシーケンスを含むサブキャリアスペーシングで受信されてもよい。
【０２０８】
ＷＴＲＵをビームフォーミングセルラ通信ネットワークと同期させることは、ＷＴＲＵがビームフォーミングセルラ通信ネットワークと同期するための同期パラメータを含む、複数のシンボルを含むＳＹＮＣバーストセットを判断するように構成されるネットワーク内の１つ以上のプロセッサと、ビーム内で、ビームフォーミングセルラ通信ネットワークからＷＴＲＵに、ＳＹＮＣバーストセットを送信することと、を含んでもよい。１つ以上のネットワークプロセッサは、ビームフォーミングセルラ通信ネットワークによって方向付けられるマルチビームＳＹＮＣ信号、ＷＴＲＵによって方向付けられるマルチビーム同期スケジュール、マルチビームショートＳＹＮＣ信号、並びにビームフォーミングセルラ通信ネットワーク及びＷＴＲＵに基づいて方向付けられるハイブリッドＳＹＮＣ構造のうちの１つを使用して、ＳＹＮＣバーストセットをＷＴＲＵに送信するように構成されてもよい。パラメータは、ＳＹＮＣ信号タイプ、ビームスイープタイプ、ビームスイープ順序、ＡＣＫリソース構成、及びビームホッピングパターンのうちの１つ以上を含んでもよい。
【０２０９】
ネットワークプロセッサは、完全ビームスイープにおいてＳＹＮＣバーストセットを送信し、ＰＳＳ及びＳＳＳのタイミング及び／又は周波数差、ＰＳＳシーケンス及び巡回ビームシフト、並びにビームスイープにおけるビームシーケンスのうちの１つを使用することによって、並びに判断されたＳＹＮＣ動作モードでＳＹＮＣバーストを送信することによって、シングルビーム又はマルチビームのうちの１つを含むＳＹＮＣ動作モードを使用するかどうかを判断するように構成されてもよい。ＳＹＮＣ動作モードは、シングルビーム動作モード、マルチビーム動作モード、及び部分マルチビーム動作モードのうちの１つであってもよい。
【０２１０】
ネットワークプロセッサは、ビームフォーミングセルラ通信ネットワークによるビームスイープを伴うＳＹＮＣ信号送信のための複数ビーム、ＷＴＲＵビームスイープを伴うＳＹＮＣ信号のためのシングルビーム、及び多重化ＳＹＮＣ信号のうちの１つに基づいて、ＳＹＮＣバースト領域においてＳＹＮＣバーストを送信するように構成されてもよい。
【０２１１】
ネットワークプロセッサは、ビームフォーミングセルラ通信ネットワークのサブ周波数帯域内でＳＹＮＣバーストセットを送信するように構成されてもよい。
【０２１２】
ネットワークプロセッサは、ＰＳＳ及びＳＳＳシーケンスを含むサブキャリアスペーシングで、ＳＹＮＣバーストセットを送信するように構成されてもよい。
【０２１３】
開示された主題の特徴及び要素は、特定の要素、特徴、組み合わせ、手続ステップなどを有する例において説明されているが、各要素、特徴、手続ステップなどが、ここで説明されるか否かに関わらず、単独で、又は１つ以上の要素、特徴、手続ステップのなどとの任意の組み合わせで、実施されてもよい。
【０２１４】
ここで説明される例は、ＬＴＥ、ＬＴＥ−Ａ、ＮＲ（New  Radio）、又は５Ｇプロトコルについて論じられているが、ここで説明される主題は、これらのプロトコルに限定されず、依然として他のワイヤレスシステムに適用可能である。
【０２１５】
ＮＲ（new  Radio）などのビームフォーミング型システムにおける同期について、システム、手続、及び手段が、開示されている。共通ＳＹＮＣチャネルは、シングル及びマルチビームシステムに対して提供され得る。ＳＹＮＣバースト構造は、ビームベースのシステムに対して提供され得る。シングル及びマルチビーム配備を可能にし、又はサポートする手続は、例えば、ＴＤＤ及びＦＤＤのための共通ＳＹＮＣ、混合ヌメロロジーのための共通ＳＹＮＣ、より大きな帯域幅のためのＳＹＮＣ、並びに単一及び複数ＴＲＰのためのＳＹＮＣ送信及び受信を提供し得る。
【０２１６】
ここで説明されるプロセス及び手段は、任意の組み合わせで適用されてもよく、他のワイヤレス技術に、及び他のサービス用に適用されてもよい。
【０２１７】
ＷＴＲＵは、物理デバイスの識別、又はＭＳＩＳＤＮ、ＳＩＰ  ＵＲＩなどといったスクリプション関連識別などのユーザの識別を参照してもよい。ＷＴＲＵは、アプリケーションベースの識別、例えば、アプリケーション毎に使用され得るユーザ名を参照してもよい。
【０２１８】
ここで使用されるように、タイムスロットは、ＳＳブロックと同義である。
【０２１９】
ここで説明したコンピューティングシステムのそれぞれが、ここで説明されたパラメータを判断すること、並びに説明された機能を達成するためのエンティティ（例えば、ＷＴＲＵ及びネットワーク）間でメッセージを送信及び受信することを含む、ここで説明された機能を達成するための、実行可能命令又はハードウェアで構成されるメモリを有する１つ以上のコンピュータプロセッサを有してもよい。上述したプロセスは、コンピュータ及び／又はプロセッサによる実行のためにコンピュータ可読媒体に組み込まれる、コンピュータプログラム、ソフトウェア、及び／又はファームウェアにおいて実施されてもよい。
【０２２０】
上述のプロセスは、コンピュータ及び／又はプロセッサによる実行のためにコンピュータ可読媒体に組み込まれる、コンピュータプログラム、ソフトウェア、及び／又はファームウェアにおいて実施されてもよい。コンピュータ可読媒体の例は、（有線及び／若しくは無線接続を介して送信される）電気信号、並びに／又はコンピュータ可読記憶媒体を含むが、これらに限定されない。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内部ハードディスク及びリムーバブルディスクなどであるがこれらに限定されない磁気媒体、光磁気媒体、並びに／又はＣＤ−ＲＯＭディスク及び／若しくはデジタル多用途ディスク（ＤＶＤ）などの光学式媒体を含むが、これらに限定されない。ソフトウェアに関連するプロセッサは、ＷＴＲＵ、端末、基地局、ＲＮＣ、及び／又は任意のホストコンピュータにおける使用のための無線周波数送受信機を実施するために使用されてもよい。
【図１Ａ】
2019537289.tif 000005
【図１Ｂ】
2019537289.tif 000006
【図１Ｃ】
2019537289.tif 000007
【図１Ｄ】
2019537289.tif 000008
【図２】
2019537289.tif 000009
【図３】
2019537289.tif 000010
【図４】
2019537289.tif 000011
【図５Ａ】
2019537289.tif 000012
【図５Ｂ】
2019537289.tif 000013
【図６】
2019537289.tif 000014
【図７】
2019537289.tif 000015
【図８】
2019537289.tif 000016
【図９】
2019537289.tif 000017
【図１０】
2019537289.tif 000018
【図１１】
2019537289.tif 000019
【図１２】
2019537289.tif 000020
【図１３】
2019537289.tif 000021
【図１４】
2019537289.tif 000022
【図１５】
2019537289.tif 000023
【図１６】
2019537289.tif 000024
【図１７Ａ】
2019537289.tif 000025
【図１７Ｂ】
2019537289.tif 000026
【図１８】
2019537289.tif 000027
【図１９】
2019537289.tif 000028
【図２０】
2019537289.tif 000029
【図２１】
2019537289.tif 000030
【図２２】
2019537289.tif 000031
【図２３】
2019537289.tif 000032
【図２４】
2019537289.tif 000033
【図２５Ａ】
2019537289.tif 000034
【図２５Ｂ】
2019537289.tif 000035
【図２５Ｃ】
2019537289.tif 000036
【図２５Ｄ】
2019537289.tif 000037
【図２６】
2019537289.tif 000038
【図２７】
2019537289.tif 000039
【図２８】
2019537289.tif 000040
【図２９】
2019537289.tif 000041
【図３０】
2019537289.tif 000042
【図３１】
2019537289.tif 000043
【図３２】
2019537289.tif 000044
【図３３】
2019537289.tif 000045
【図３４】
2019537289.tif 000046
【図３５】
2019537289.tif 000047
【図３６】
2019537289.tif 000048
【図３７】
2019537289.tif 000049
【国際調査報告】
2019537289.tif 000050
2019537289.tif 000051
2019537289.tif 000052
2019537289.tif 000053